【事件の表示】
　特願２０１３−　１５５８１「電力管理装置、電力管理方法及びプログラム」拒絶査定不服審判事件〔平成２６年　２月１３日出願公開、特開２０１４−　３０３３４、請求項の数（１３）〕について、次のとおり審決する。
【結　論】
　原査定を取り消す。
　本願の発明は、特許すべきものとする。
【理　由】
第１　手続の経緯
　本願は、平成２５年１月３０日（優先権主張平成２４年６月２９日）の出願であって、平成２８年６月３０日付けで拒絶理由が通知され、平成２８年９月１日付けで意見書が提出されるとともに手続補正がされ、平成２８年１２月６日付けで拒絶査定（原査定）がされ、これに対し、平成２９年３月９日に拒絶査定不服審判の請求がされると同時に手続補正がされたものである。
第２　原査定の概要
　原査定（平成２８年１２月６日付け拒絶査定）の概要は次のとおりである。
１．この出願の請求項１〜３、７〜１３に係る発明は、以下の引用文献１〜４に基づいて、その発明の属する技術の分野における通常の知識を有する者（以下、「当業者」という。）が容易に発明できたものであるから、特許法第２９条第２項の規定により特許を受けることができない。
２．この出願の請求項１〜３、７〜１３に係る発明は、その出願の日前の特許出願であって、その出願の後に出願公開された下記の特許出願（先願５又は６）の願書に最初に添付された明細書、特許請求の範囲又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により、特許を受けることができない。
引用文献等一覧
　１．国際公開第２０１０／０３８６６４号
　２．特開２００６−３３３６２５号公報
　３．特開２０００−３４１９５９号公報
　４．国際公開第２０１２／０３２７７６号
　５．特願２０１１−１６５２１９号（特開２０１３−３１２８１号）
　６．特願２０１１−６３４６０号（特開２０１２−２０００９８号）
第３　本願発明
　本願請求項１〜１３に係る発明（以下、それぞれ「本願発明１」〜「本願発明１３」という。）は、平成２９年３月９日付けの手続補正で補正された特許請求の範囲の請求項１〜１３に記載された事項により特定される発明であり、以下のとおりの発明である。
「【請求項１】
　複数の蓄電池を備える所定の地域範囲において蓄電池に対して充電すべき総電力または前記地域範囲において蓄電池から放電させるべき総電力を算出する総電力算出部と、
　蓄電池に充電するための電力の交流直流変換または蓄電池から放電により出力される電力の直流交流変換を行うために前記複数の蓄電池ごとに対応して備えられるインバータについての電力に応じた効率の変動特性を、前記インバータごとに示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定部と、
　前記分配対象としての蓄電池の各々に対して前記分配電力が分配されるように、制御する電力制御部と
　を備えることを特徴とする電力管理装置。
【請求項２】
　前記分配電力決定部は、
　前記複数の蓄電池のうちから前記総電力を分配したときにインバータにおける損失が一定以下となる蓄電池を分配対象として決定する
　請求項１に記載の電力管理装置。
【請求項３】
　前記分配電力決定部は、
　分配対象として決定された蓄電池ごとに個別に分配電力を決定する
　請求項１または２に記載の電力管理装置。
【請求項４】
　１つのインバータ効率特性は、前記地域範囲において前記１つのインバータ効率特性に対応するインバータを備える施設における電力制御を行う施設別制御部を示す施設別制御部識別子と、前記施設別制御部のアドレスとが対応付けられる
　請求項１から３のいずれか一項に記載の電力管理装置。
【請求項５】
　前記電力制御部は、
　前記分配対象としての蓄電池の各々に対して前記分配電力が分配されるように制御するにあたり、前記分配対象としての蓄電池を管理下におく施設別制御部と、施設別制御部のアドレスを使用して通信を行う
　請求項４に記載の電力管理装置。
【請求項６】
　前記施設別制御部識別子は、
　当該施設別制御部識別子に対応付けられた前記インバータ効率特性のインバータを管理下におく施設別制御部を特定する
　請求項４または５に記載の電力管理装置。
【請求項７】
　前記所定の地域範囲において、前記蓄電池からの電力の供給を受けることのできる負荷を備える需要家施設が備えられる
　請求項１から６のいずれか一項に記載の電力管理装置。
【請求項８】
　前記複数の蓄電池ごとの所定の状態を取得する蓄電池状態取得部をさらに備え、
　前記分配電力決定部は、
　前記インバータごとのインバータ効率特性と、複数の蓄電池ごとの所定の状態に基づいて、前記分配対象としての蓄電池を決定するとともに、決定した蓄電池ごとに分配する電力を決定する
　ことを特徴とする請求項１から７のいずれか一項に記載の電力管理装置。
【請求項９】
　前記分配電力決定部は、
　前記インバータごとのインバータ効率特性に対して設定された前記分配電力の下限値に基づいて、分配対象の蓄電池に対応するインバータが前記下限値以上で動作するように、
前記分配対象の蓄電池を決定するとともに、決定した蓄電池ごとに分配電力を決定する
　ことを特徴とする請求項１から８のいずれか一項に記載の電力管理装置。
【請求項１０】
　前記分配電力決定部は、
　少なくとも前記総電力と前記複数の蓄電池ごとの所定の状態のうちの少なくとも１つの決定要素の変動に応じて、前記分配対象の蓄電池と、当該分配対象の蓄電池ごとの分配電力を決定する、
　ことを特徴とする請求項１から９のいずれか一項に記載の電力管理装置。
【請求項１１】
　前記分配電力決定部は、
　記憶部に予め記憶された前記インバータごとのインバータ効率特性に基づいて、前記分配対象としての蓄電池を決定するとともに、決定した蓄電池ごとに分配する電力を決定する
　ことを特徴とする請求項１から１０のいずれか一項に記載の電力管理装置。
【請求項１２】
　複数の蓄電池を備える所定の地域範囲において蓄電池に対して充電すべき総電力または前記地域範囲において蓄電池から放電させるべき総電力を算出する総電力算出ステップと、
　蓄電池に充電するための電力の交流直流変換または蓄電池から放電により出力される電力の直流交流変換を行うために前記複数の蓄電池ごとに対応して備えられるインバータについての電力に応じた効率の変動特性を、前記インバータごとに示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定ステップと、
　前記分配対象としての蓄電池の各々に対して前記分配電力が分配されるように制御する電力制御ステップと
　を備えることを特徴とする電力管理方法。
【請求項１３】
　コンピュータに、
　複数の蓄電池を備える所定の地域範囲において蓄電池に対して充電すべき総電力または前記地域範囲において蓄電池から放電させるべき総電力を算出する総電力算出ステップと、
　蓄電池に充電するための電力の交流直流変換または蓄電池から放電により出力される電力の直流交流変換を行うために前記複数の蓄電池ごとに対応して備えられるインバータについての電力に応じた効率の変動特性を、前記インバータごとに示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定ステップと、
　前記分配対象としての蓄電池の各々に対して前記分配電力が分配されるように制御する電力制御ステップと
　を実行させるためのプログラム。」
第４　原査定の理由１（特許法第２９条第２項）について
１．引用文献、引用発明１−１等
（１）引用文献１
　原査定の拒絶の理由に引用された引用文献１には、図面とともに次の事項が記載されている。
・「［請求項１］　出力電力が変動する発電装置と電力貯蔵補償装置とを組み合わせて電力系統へ電力を供給する連系システムにおいて前記電力貯蔵補償装置を構成し前記発電装置の出力電力の変動を補償する、複数のナトリウム−硫黄電池の制御方法であって、
　複数のナトリウム−硫黄電池を、複数のグループに組分けし、
　前記発電装置の出力電力の変動を補償するために
全てのナトリウム−硫黄電池に対して与えられた入出力すべき電力
　各グループに組分けした前記複数のナトリウム−硫黄電池を、定期的にローテーションする
ナトリウム−硫黄電池の制御方法。
・「［0001］　本発明は、風力発電装置等の出力が変動する発電装置と、複数のナトリウム−硫黄電池を有する電力貯蔵補償装置と、を組み合わせて電力系統へ電力を供給する連系システムにおける、ナトリウム−硫黄電池の制御方法に関する。」
・「［0015］　本発明に係るナトリウム−硫黄電池の制御方法は、出力が変動する発電装置と電力貯蔵補償装置とを組み合わせて電力系統へ電力を供給する連系システムにおいて電力貯蔵補償装置を構成する複数のナトリウム−硫黄電池を制御する方法である。本明細書において、複数のナトリウム−硫黄電池を構成する個々の（１基の）ナトリウム−硫黄電池とは、制御の単位で他と区画されるナトリウム−硫黄電池のことをいう。単電池の数、モジュール電池の数、出力の大きさ等で定まるものではない。具体的には、ナトリウム−硫黄電池が電力貯蔵補償装置を構成する場合において、
１基の双方向変換器
・「［0022］　先ず、連系システムについて説明する。図１に示されるシステム構成図は、出力が変動する発電装置と電力貯蔵補償装置とを有する連系システムの一例を表している。図１に示される
連系システム８
直流／交流変換機能を有する双方向変換器４
ナトリウム−硫黄電池３
ｎ系列備わっている。
・「［0024」　連系システム８においては、電力貯蔵補償装置５において
ナトリウム−硫黄電池３の放電を行い
電力Ｐ
Ｎ
（Ｐ
Ｎ
＝Ｐ
Ｔ
−Ｐ
Ｗ
）を満たすように、
［0025］　又、連系システム８では、風力発電装置７により発電された電力ＰＷの出力変動に合わせて、電力貯蔵補償装置５において
ナトリウム−硫黄電池３の充電を行う
電力Ｐ
Ｎ
が、Ｐ
Ｎ
＝−Ｐ
Ｗ
となるように、
・「［0028］　連系システム８において、Ｎｏ．１〜Ｎｏ．ｎの複数のナトリウム−硫黄電池３は、１〜ｘのグループに組分けされる。そして、図２に示されるように、連系システム８における全てのナトリウム−硫黄電池３に与えられる総制御量は、それぞれの
分配ロジックによって
［0029］　分配ロジックとして、入出力すべき電力の強弱や制御態様によってナトリウム−硫黄電池３に与えられる総制御量を分配するロジック、を挙げることが出来る。例えば、風力発電装置７の出力変動によらずナトリウム−硫黄電池３を定電力で制御する、風力発電装置７の出力変動に追従してナトリウム−硫黄電池３を制御する、又は、ナトリウム−硫黄電池３を休止する、といった制御方法の違いによって、総制御量からＮｏ．１〜Ｎｏ．ｎの
それぞれのナトリウム−硫黄電池３へ与えられる制御量を分配する
制御グループ１は風力発電装置７の出力変動によらずナトリウム−硫黄電池３
を定電力で制御すること
制御グループ２は風力発電装置７の出力変動に追従してナトリウム−硫黄電池３
を制御すること
制御グループ３はナトリウム−硫黄電池３
を休止すること
［0030］　図３は、
１〜ｘのグループに組分けされたＮｏ．１〜Ｎｏ．ｎのナトリウム−硫黄電池３を、１０日毎に定期的にローテーションする
［0031］　例えば、Ｎｏ．１ナトリウム−硫黄電池３に対しては風力発電装置７の出力変動によらず定電力で制御し（そのような制御になるように制御量を分配し）、Ｎｏ．２ナトリウム−硫黄電池３に対しては風力発電装置７の出力変動に追従して制御し（そのような制御になるように制御量を分配し）、Ｎｏ．３ナトリウム−硫黄電池３は休止し、というような各制御を固定して行っていると、ナトリウム−硫黄電池３の利用率がばらついてしまい、利用率の高いナトリウム−硫黄電池３のみの劣化が促進されることになるが、グループに組分けしたナトリウム−硫黄電池３を、定期的にローテーションすれば、特定のナトリウム−硫黄電池３の利用率のみが上昇することはなく、利用率の均一化が図れ、その結果、特定のナトリウム−硫黄電池３のみの劣化が促進されることはない。」
・段落［0025］及び図１に、複数台の風力発電装置７により発電された電力ＰＷの出力変動に合わせて、複数台（ｎ系列）のナトリウム−硫黄電池３に充電する電力ＰＮを、ＰＮ＝−ＰＷとなるようにすることが記載されている。したがって、
連系システム８
全てのナトリウム−硫黄電池３に対して与えられた入力（充電）すべき電力Ｐ
Ｎ
を算出する機能を実行する装置部分
・段落［0024］及び図１に、複数台（ｎ系列）のナトリウム−硫黄電池３から放電される電力ＰＮが、風力発電装置７により発電された電力ＰＷの出力変動を補償し、連系システム８全体として出力する電力ＰＴが、ＰＴ＝ＰＷ＋ＰＮ＝一定を満たすようにすることが記載されている。したがって、
連系システム８
全てのナトリウム−硫黄電池３に対して与えられた出力（放電）すべき電力Ｐ
Ｎ
を算出する機能を実行する装置部分
・段落［0015]、［0022］、「0024］、［0025］の下線部の記載事項及び図１から、
ナトリウム−硫黄電池３に充電を行う電力Ｐ
Ｎ−１〜ｎ
の交流直流変換機能及びナトリウム−硫黄電池３の放電を行う電力Ｐ
Ｎ−１〜ｎ
の直流交流変換機能を有し、前記ｎ系列のナトリウム−硫黄電池３ごとに対応して備えられる各１基の双方向変換器４
・［請求項１］、段落［0022］、［0024］、［0025］、［0028］〜［0031］の記載事項及び図１、２から、連系システム８は、
ｎ系列のナトリウム−硫黄電池３を制御グループ１ないし３からなる複数のグループに組分けし、制御グループ１は風力発電装置７の出力変動によらずナトリウム−硫黄電池３を定電力で制御し、制御グループ２は風力発電装置７の出力変動に追従してナトリウム−硫黄電池３を制御し、制御グループ３はナトリウム−硫黄電池３を休止する分配ロジックに基づいて、制御グループ１及び制御グループ２に属する各ナトリウム−硫黄電池を、全てのナトリウム−硫黄電池に対して与えられた入出力（充放電）すべき電力の分配対象として決定するとともに、制御グループ１及び制御グループ２に属する各ナトリウム−硫黄電池ごとに分配する分配電力を決定する機能を実行し、かつ各グループに組分けした前記複数のナトリウム−硫黄電池を、定期的にローテーションする機能を実行する装置部分
・段落［0022]、［0029］の記載事項及び図１、２から、連系システム８は、
制御グループ１及び制御グループ２内の各ナトリウム−硫黄電池の各々に対して、分配された電力をそれぞれのナトリウム−硫黄電池３が充放電するように、それぞれのナトリウム−硫黄電池３ごとに備えられた１基の双方向変換器４を制御する機能を実行する装置部分
　したがって、上記引用文献１には次の発明（以下、「引用発明１−１」という。）が記載されていると認められる。
＜引用発明１−１＞
「ｎ系列のナトリウム−硫黄電池３を備える連系システム８において、
　連系システム８において全てのナトリウム−硫黄電池３に対して与えられた入力（充電）すべき電力ＰＮまたは前記連系システム８において全てのナトリウム−硫黄電池３に対して与えられた出力（放電）すべき電力ＰＮを算出する機能を実行する装置部分と、
　ナトリウム−硫黄電池３に充電を行う電力ＰＮ−１〜ｎの交流直流変換機能及びナトリウム−硫黄電池３の放電を行う電力ＰＮ−１〜ｎの直流交流変換機能を有し、前記ｎ系列のナトリウム−硫黄電池３ごとに対応して備えられる各１基の双方向変換器４と、
　ｎ系列のナトリウム−硫黄電池３を制御グループ１ないし３からなる複数のグループに組分けし、制御グループ１は風力発電装置７の出力変動によらずナトリウム−硫黄電池３を定電力で制御し、制御グループ２は風力発電装置７の出力変動に追従してナトリウム−硫黄電池３を制御し、制御グループ３はナトリウム−硫黄電池３を休止する分配ロジックに基づいて、制御グループ１及び制御グループ２に属する各ナトリウム−硫黄電池を、全てのナトリウム−硫黄電池に対して与えられた入出力（充放電）すべき電力の分配対象として決定するとともに、制御グループ１及び制御グループ２に属する各ナトリウム−硫黄電池ごとに分配する分配電力を決定する機能を実行し、かつ各グループに組分けした前記複数のナトリウム−硫黄電池を、定期的にローテーションする機能を実行する装置部分と、
　制御グループ１及び制御グループ２内の各ナトリウム−硫黄電池の各々に対して、分配された電力をそれぞれのナトリウム−硫黄電池３が充放電するように、それぞれのナトリウム−硫黄電池３ごとに備えられた各１基の双方向変換器４を制御する機能を実行する装置部分と、
　を備える連系システム８。」
　また、引用文献１の記載事項からみて、引用文献１には次の発明（以下、「引用発明１−２」という。）も記載されていると認められる。
＜引用発明１−２＞
「ｎ系列のナトリウム−硫黄電池３、ナトリウム−硫黄電池３に充電を行う電力ＰＮ−１〜ｎの交流直流変換機能及びナトリウム−硫黄電池３の放電を行う電力ＰＮ−１〜ｎの直流交流変換機能を有し、前記ｎ系列のナトリウム−硫黄電池３ごとに対応して備えられる各１基の双方向変換器４を備える連系システム８において、
　連系システム８において全てのナトリウム−硫黄電池３に対して与えられた入力（充電）すべき電力ＰＮまたは前記連系システム８において全てのナトリウム−硫黄電池３に対して与えられた出力（放電）すべき電力ＰＮを算出するステップと、
　ｎ系列のナトリウム−硫黄電池３を制御グループ１ないし３からなる複数のグループに組分けし、制御グループ１は風力発電装置７の出力変動によらずナトリウム−硫黄電池３を定電力で制御し、制御グループ２は風力発電装置７の出力変動に追従してナトリウム−硫黄電池３を制御し、制御グループ３はナトリウム−硫黄電池３を休止する分配ロジックに基づいて、制御グループ１及び制御グループ２に属する各ナトリウム−硫黄電池を、全てのナトリウム−硫黄電池に対して与えられた入出力（充放電）すべき電力の分配対象として決定するとともに、制御グループ１及び制御グループ２に属する各ナトリウム−硫黄電池ごとに分配する分配電力を決定する機能を実行し、かつ各グループに組分けした前記複数のナトリウム−硫黄電池を、定期的にローテーションする機能を実行するステップと、
　制御グループ１及び制御グループ２内の各ナトリウム−硫黄電池の各々に対して、分配された電力をそれぞれのナトリウム−硫黄電池３が充放電するように、それぞれのナトリウム−硫黄電池３ごとに備えられた各１基の双方向変換器４を制御する機能を実行するステップと、
　を備える連系システム８におけるナトリウム−硫黄電池の制御方法。」
（２）引用文献２について
　また、原査定の拒絶の理由に引用された引用文献２の段落【0001】，段落【0002】，段落【0006】，段落【0010】〜【0016】、段落【0018】〜【0020】，段落【0035】及び図５，図８の記載からみて、次の事項が記載されていると認められる。
「電源出力電力値Ｐが大きく変動する直流電源に、定格入力電力値Ｐｍのｍ台の大容量インバータ装置及び定格入力電力値Ｐｎのｎ台の小容量インバータ装置（但しＰｎ・ｎ＜Ｐｍ）を並列接続し、直流電源からの電源出力電力値Ｐに基づいて、容量の異なる複数台のインバータ装置から変換効率が高くなる起動台数と、起動する各インバータへの分配電力を決定する方法。」
（３）引用文献３について
　また、原査定の拒絶の理由に引用された引用文献３には、【請求項１】、段落【0010】〜【0024】の記載などからみて、次に示す技術的事項が記載されていると認められる。
「エネルギ源の状況によって出力が変動する直流電源と、複数のインバータを並列に接続した直交変換装置とを備えた発電システムにおいて、該直流電源の出力電力を求めると共に、予め記憶しておいた前記インバータの直流入力−直交変換効率特性及びインバータ台数に応じて、発電システムの交流出力電力が最大となるようにインバータの運転台数を制御すること。」
（４）引用文献４について
　また、原査定の拒絶の理由に引用された引用文献４には、［請求項１］、段落［0121]〜［0158］（特に段落［0131］、［0154］及び［0155］）の記載などからみて、次に示す技術的事項が記載されていると認められる。
「複数の蓄電池を備えた電力供給システムにおいて、蓄電池のＳＯＣに応じて各蓄電池に出力させるべき電力の分配率を算出すること。」
２．対比・判断
（１）本願発明１について
ア．対比
　本願発明１と、引用発明１−１とを対比すると、次のことがいえる。
（ア）引用発明１−１における「ｎ系列」及び「ナトリウム−硫黄電池３」は、それぞれ本願発明１における「複数」及び「蓄電池」に相当する。
（イ）引用文献１の段落［0022］の記載によれば、「連系システム８は、風の力を風車の回転に変え発電機を回す風力発電装置７（自然エネルギー発電装置）と、電力貯蔵補償装置５と、を有する。」から、引用発明１−１における「連系システム８」は、「所定の地域範囲」に設置されていると認められる。すると、引用発明１−１における「連系システム８において全てのナトリウム−硫黄電池３に対して与えられた入力（充電）すべき電力ＰＮ」及び「連系システム８において全てのナトリウム−硫黄電池３に対して与えられた出力（放電）すべき電力ＰＮ」は、それぞれ本願発明１における「所定の地域範囲において蓄電池に対して充電すべき総電力」及び「前記地域範囲において蓄電池から放電させるべき総電力」に相当する。また、引用発明１−１における「電力ＰＮを算出する機能を実行する装置部分」は、本願発明１における「総電力を算出する総電力算出部」に相当する。
（ウ）引用発明１−１における「ナトリウム−硫黄電池３に充電を行う電力ＰＮ−１〜ｎの交流直流変換機能及びナトリウム−硫黄電池３の放電を行う電力ＰＮ−１〜ｎの直流交流変換機能を有」するとの事項は、本願発明１における「蓄電池に充電するための電力の交流直流変換または蓄電池から放電により出力される電力の直流交流変換を行う」との事項に相当する。
（エ）引用発明１−１における「ｎ系列のナトリウム−硫黄電池３ごとに対応して備えられる各１基の双方向変換器４」は、本願発明１における「複数の蓄電池ごとに対応して備えられるインバータ」に相当する。
（オ）引用発明１−１における「ｎ系列のナトリウム−硫黄電池３を制御グループ１ないし３からなる複数のグループに組分けし、制御グループ１は風力発電装置７の出力変動によらずナトリウム−硫黄電池３を定電力で制御し、制御グループ２は風力発電装置７の出力変動に追従してナトリウム−硫黄電池３を制御し、制御グループ３はナトリウム−硫黄電池３を休止する分配ロジックに基づいて、制御グループ１及び制御グループ２に属する各ナトリウム−硫黄電池を、全てのナトリウム−硫黄電池に対して与えられた入出力（充放電）すべき電力の分配対象として決定するとともに、制御グループ１及び制御グループ２に属する各ナトリウム−硫黄電池ごとに分配する分配電力を決定する機能を実行し、かつ各グループに組分けした前記複数のナトリウム−硫黄電池を、定期的にローテーションする機能を実行する装置部分」と、本願発明１における「蓄電池に充電するための電力の交流直流変換または蓄電池から放電により出力される電力の直流交流変換を行うために前記複数の蓄電池ごとに対応して備えられるインバータについての電力に応じた効率の変動特性を、前記インバータごとに示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定部」とは、いずれも「複数の蓄電池のうちから、１以上の蓄電池を総電力の分配対象として決定するとともに、決定された分配対象としての蓄電池ごとに分配する分配電力を決定する分配電力決定部」である点で共通する。
（カ）引用発明１−１における「制御グループ１及び制御グループ２内の各ナトリウム−硫黄電池の各々に対して、分配された電力をそれぞれのナトリウム−硫黄電池３が充放電するように、それぞれのナトリウム−硫黄電池３ごとに備えられた各１基の双方向変換器４を制御する機能を実行する装置部分」は、本願発明１における「前記分配対象としての蓄電池の各々に対して前記分配電力が分配されるように、制御する電力制御部」に相当する。
（キ）引用発明１−１における「連系システム８」は、本願発明１における「電力管理装置」に相当する。
　したがって、本願発明１と引用発明１−１との間には、次の一致点、相違点があるといえる。
＜一致点＞
「複数の蓄電池を備える所定の地域範囲において蓄電池に対して充電すべき総電力または前記地域範囲において蓄電池から放電させるべき総電力を算出する総電力算出部と、
　前記複数の蓄電池のうちから、１以上の蓄電池を総電力の分配対象として決定するとともに、決定された分配対象としての蓄電池ごとに分配する分配電力を決定する分配電力決定部と、
　前記分配対象としての蓄電池の各々に対して前記分配電力が分配されるように、制御する電力制御部と
　を備える電力管理装置。」
＜相違点１＞
　分配電力決定部に関し、本願発明１は「蓄電池に充電するための電力の交流直流変換または蓄電池から放電により出力される電力の直流交流変換を行うために前記複数の蓄電池ごとに対応して備えられるインバータについての電力に応じた効率の変動特性を、前記インバータごとに示すインバータ効率特性に基づいて、前記複数の蓄電池のうちから、総電力を分配したときにインバータにおける効率が一定以上となる１以上の蓄電池を前記総電力の分配対象として決定する」ものであるのに対し、引用発明１−１は「ナトリウム−硫黄電池３に充電を行う電力ＰＮ−１〜ｎの交流直流変換機能及びナトリウム−硫黄電池３の放電を行う電力ＰＮ−１〜ｎの直流交流変換機能を有し、前記ｎ系列のナトリウム−硫黄電池３ごとに対応して備えられる各１基の双方向変換器４」（蓄電池に充電するための電力の交流直流変換または蓄電池から放電により出力される電力の直流交流変換を行うために前記複数の蓄電池ごとに対応して備えられるインバータ）を有するものであって、「ｎ系列のナトリウム−硫黄電池３を制御グループ１ないし３からなる複数のグループに組分けし、制御グループ１は風力発電装置７の出力変動によらずナトリウム−硫黄電池３を定電力で制御し、制御グループ２は風力発電装置７の出力変動に追従してナトリウム−硫黄電池３を制御し、制御グループ３はナトリウム−硫黄電池３を休止する分配ロジックに基づいて、制御グループ１及び制御グループ２に属する各ナトリウム−硫黄電池を、全てのナトリウム−硫黄電池に対して与えられた入出力（充放電）すべき電力の分配対象として決定するとともに、各グループに組分けした前記複数のナトリウム−硫黄電池を、定期的にローテーションする機能を実行する」ものであり、電力の分配対象として決定される制御グループ１又は２に属する蓄電池（ナトリウム−硫黄電池）は定期的なローテーションによって決定される構成であって、「複数の蓄電池ごとに対応して備えられるインバータについての電力に応じた効率特性に基づいて、効率が一定以上となる１以上の蓄電池を総電力の分配対象として決定する」ものではない点。
イ．相違点１についての判断
（ア）上記相違点１について検討すると、引用文献２には、「電源出力電力値Ｐが大きく変動する直流電源に、定格入力電力値Ｐｍのｍ台の大容量インバータ装置及び定格入力電力値Ｐｎのｎ台の小容量インバータ装置（但しＰｎ・ｎ＜Ｐｍ）を並列接続し、直流電源からの電源出力電力値Ｐに基づいて、容量の異なる複数台のインバータ装置から変換効率が高くなる起動台数と、起動する各インバータへの分配電力を決定する方法。」（上記１(２)参照）という技術的事項が記載されている。引用文献２に記載された技術的事項は、「変換効率が高くなるインバータ装置を起動する」ものである点で、上記相違点１に係る本願発明１の構成と共通する。
　しかしながら、引用文献２に記載された技術的事項は、「出力電力値Ｐが大きく変動する直流電源に複数台のインバータ装置を並列接続」するものであり、上記相違点１に係る本願発明１の技術的事項のうち、「複数の蓄電池ごとに対応して備えられるインバータ」という技術的事項だけでなく、「インバータごとに示すインバータ効率特性に基づいて、効率が一定以上となる１以上の蓄電池を前記総電力の分配対象として決定する」という技術的事項も備えていない。
　したがって、引用文献２に記載された技術的事項を引用発明１−１に適用したとしても、引用発明１−１の「複数の蓄電池ごとに対応して備えられる各１基の双方向変換器４（インバータ）」を「複数台のインバータ装置を並列接続」した構成とし、蓄電池ごとに充放電する電力に応じて、並列接続したインバータの起動台数を決定するという構成が得られるにすぎないものであり、上記相違点１に係る本願発明１の構成が得られるとはいえない。
（イ）また、引用文献３には、「エネルギ源の状況によって出力が変動する直流電源と、複数のインバータを並列に接続した直交変換装置とを備えた発電システムにおいて、該直流電源の出力電力を求めると共に、予め記憶しておいた前記インバータの直流入力−直交変換効率特性及びインバータ台数に応じて、発電システムの交流出力電力が最大となるようにインバータの運転台数を制御すること。」（上記１(３)参照）という技術的事項が記載されている。引用文献３に記載された技術的事項も、「変換効率が高くなるインバータ装置を起動する」ものである点で、上記相違点１に係る本願発明１の構成と共通する。
　しかしながら、引用文献３に記載された技術的事項は、引用文献２に記載された技術的事項と同様に、「出力が変動する直流電源に複数台のインバータ装置を並列接続」するものであり、上記相違点１に係る本願発明１の技術的事項のうち、「複数の蓄電池ごとに対応して備えられるインバータ」という技術的事項、及び「インバータごとに示すインバータ効率特性に基づいて、効率が一定以上となる１以上の蓄電池を前記総電力の分配対象として決定する」という技術的事項を備えていない。
　したがって、引用文献３に記載された技術的事項を引用発明１−１に適用しても、上記(ア)で述べたのと同様の理由で、上記相違点１に係る本願発明１の構成が得られるとはいえない。
（ウ）また、引用文献４には、インバータ効率特性に基づいて使用するインバータを決定するという技術的事項が記載されていない。したがって、引用文献４に記載された技術的事項を引用発明１−１に適用しても、上記相違点１に係る本願発明１の構成が得られることはない。
ウ．小括
　したがって、本願発明１は、引用文献１〜４に基づいて当業者が容易に発明できたものであるとはいえない。
（２）本願発明２〜１１について
　本願発明２〜１１は、本願発明１を直接又は間接的に引用して発明特定事項を特定する発明であり、本願発明１が備える発明特定事項を全て備えている。したがって、本願発明２〜１１と引用発明１−１とは、少なくとも上記(１)アで述べた本願発明１と引用発明１−１との相違点１で相違する。そして、上記(１)イ、ウで述べたとおり、この相違点１により、本願発明１は、引用文献１〜４に基づいて当業者が容易に発明できたものであるとはいえないのであるから、同様に、本願発明２〜１１も、引用文献１〜４に基づいて当業者が容易に発明できたものであるとはいえない。
（３）本願発明１２について
ア．対比・判断
（ア）対比
　本願発明１２と、引用発明１−２とを対比すると、上記(１)アで述べたのと同様なことがいえ、引用発明１-２における「電力ＰＮを算出するステップ」、「各１基の双方向変換器４」、「各１基の双方向変換器４を制御する機能を実行するステップ」及び「連系システム８におけるナトリウム−硫黄電池の制御方法」は、それぞれ本願発明１２における「総電力算出ステップ」、「インバータ」、「電力制御ステップ」及び「電力管理方法」に相当する。
　また、引用発明１−２における「ｎ系列のナトリウム−硫黄電池３を制御グループ１ないし３からなる複数のグループに組分けし、制御グループ１は風力発電装置７の出力変動によらずナトリウム−硫黄電池３を定電力で制御し、制御グループ２は風力発電装置７の出力変動に追従してナトリウム−硫黄電池３を制御し、制御グループ３はナトリウム−硫黄電池３を休止する分配ロジックに基づいて、制御グループ１及び制御グループ２に属する各ナトリウム−硫黄電池を、全てのナトリウム−硫黄電池に対して与えられた入出力（充放電）すべき電力の分配対象として決定するとともに、制御グループ１及び制御グループ２に属する各ナトリウム−硫黄電池ごとに分配する分配電力を決定する機能を実行し、かつ各グループに組分けした前記複数のナトリウム−硫黄電池を、定期的にローテーションする機能を実行するステップ」と、本願発明１２における「蓄電池に充電するための電力の交流直流変換または蓄電池から放電により出力される電力の直流交流変換を行うために前記複数の蓄電池ごとに対応して備えられるインバータについての電力に応じた効率の変動特性を、前記インバータごとに示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定ステップ」とは、「複数の蓄電池のうちから、１以上の蓄電池を総電力の分配対象として決定するとともに、決定された分配対象としての蓄電池ごとに分配する分配電力を決定する分配電力決定ステップ」である点で共通する。
　したがって、本願発明１２と引用発明１−２との間には、次の一致点、及び上記相違点１と同様な相違点２があるといえる。
＜一致点＞
「複数の蓄電池を備える所定の地域範囲において蓄電池に対して充電すべき総電力または前記地域範囲において蓄電池から放電させるべき総電力を算出する総電力算出ステップと、
　前記複数の蓄電池のうちから、１以上の蓄電池を総電力の分配対象として決定するとともに、決定された分配対象としての蓄電池ごとに分配する分配電力を決定する分配電力決定ステップと、
　前記分配対象としての蓄電池の各々に対して前記分配電力が分配されるように、制御する電力制御ステップと
　を備える電力管理方法。」
＜相違点２＞
　分配電力決定ステップに関し、本願発明１２は「蓄電池に充電するための電力の交流直流変換または蓄電池から放電により出力される電力の直流交流変換を行うために複数の蓄電池ごとに対応して備えられるインバータについての電力に応じた効率の変動特性を、前記インバータごとに示すインバータ効率特性に基づいて、前記複数の蓄電池のうちから、総電力を分配したときにインバータにおける効率が一定以上となる１以上の蓄電池を前記総電力の分配対象として決定する」ものであるのに対し、引用発明１−２は「ナトリウム−硫黄電池３に充電を行う電力ＰＮ−１〜ｎの交流直流変換機能及びナトリウム−硫黄電池３の放電を行う電力ＰＮ−１〜ｎの直流交流変換機能を有し、前記ｎ系列のナトリウム−硫黄電池３ごとに対応して備えられる各１基の双方向変換器４」（本願発明１２の「蓄電池に充電するための電力の交流直流変換または蓄電池から放電により出力される電力の直流交流変換を行うために複数の蓄電池ごとに対応して備えられるインバータ」に相当。）を備えるものであって、「ｎ系列のナトリウム−硫黄電池３を制御グループ１ないし３からなる複数のグループに組分けし、制御グループ１は風力発電装置７の出力変動によらずナトリウム−硫黄電池３を定電力で制御し、制御グループ２は風力発電装置７の出力変動に追従してナトリウム−硫黄電池３を制御し、制御グループ３はナトリウム−硫黄電池３を休止する分配ロジックに基づいて、制御グループ１及び制御グループ２に属する各ナトリウム−硫黄電池を、全てのナトリウム−硫黄電池に対して与えられた入出力（充放電）すべき電力の分配対象として決定するとともに、」「各グループに組分けした前記複数のナトリウム−硫黄電池を、定期的にローテーションする機能を実行する」ものであり、電力の分配対象として決定される制御グループ１又は２に属する蓄電池（ナトリウム−硫黄電池）は定期的なローテーションによって決定される構成であって、「複数の蓄電池ごとに対応して備えられるインバータについての電力に応じた効率特性に基づいて、効率が一定以上となる１以上の蓄電池を総電力の分配対象として決定する」ものではない点。
（イ）相違点２についての判断
　相違点２は、相違点１と同様な相違点であるから、上記２(１)イで述べたのと同様の理由で、本願発明１２は、引用文献１〜４に基づいて当業者が容易に発明できたものであるとはいえない。
（４）本願発明１３について
　引用発明１−２は「制御方法」に関するものであるから、各ステップを実行するためのプログラムである本願発明１３と対比することにする。
　本願発明１３と引用発明１−２とを対比すると、両者は、上記(３)ア(ア)で述べた相違点２及び次に示す相違点３で相違し、その余の点で一致する。
＜相違点３＞
　本願発明１３は、本願発明１２が特定する各ステップと同様な各ステップを、コンピュータにより実行させるためのプログラムであるのに対し、引用発明１−２は、連系システム８におけるナトリウム−硫黄電池の制御方法である点。
　
　まず、相違点２について検討すると、上記(３)ア(イ)で述べた理由により、本願発明１３は、引用文献１〜４に基づいて当業者が容易に発明できたものであるとはいえない。したがって、相違点３について検討するまでもなく、本願発明１３は、引用文献１〜４に基づいて当業者が容易に発明できたものであるとはいえない。
３．小括
　以上のとおりであって、本願の請求項１〜１３に係る発明は、いずれも、引用文献１〜４に基づいて当業者が容易に発明できたものであるとはいえない。
第５　原査定の理由２（特許法第２９条の２）について
１．先願５に記載された発明との同一性について
（１）先願５
　原査定の拒絶の理由に引用された、先願５の願書に最初に添付された明細書、特許請求の範囲及び図面（以下、「先願明細書５」という。）には、次の事項が記載されている。
・「【請求項１】
　電力を供給する電源装置と、
　前記電源装置から供給される電力を変換する電力変換部と、前記電力変換部で変換された電力を充電する電池モジュールとをそれぞれ備える実質的同一の電池ユニットが複数且つ並列に接続された電池装置と、
　前記電力変換部の所定の電力変換効率に対応する基準電力値に関する情報を記憶する記憶部と、前記電源装置が供給する電力の供給電力量に関する情報を取得する取得部と、前記記憶部に記憶された前記基準電力値に関する情報と前記取得部が取得した前記供給電力量に関する情報とに基づいて、前記供給電力量を前記基準電力値以上の電力量に分配可能な前記電池ユニットの個数を決定し、前記複数の電池ユニットのうち前記電源装置から電力を供給する前記電池ユニットを前記決定した個数選択する選択部とを有する制御装置と、
　を含むことを特徴とする電池システム。」
・「【０００１】
　本発明は、電池システムに関し、特に、複数の電池モジュールを効率よく充電する電池システムに関する。」
・「【００１４】
　
電池システム１
制御装置４０
風力発電装置１０で発生した電力を電池装置２０に供給
・「【００１６】
　
電池装置２０は、風力発電装置１０から供給された交流電力を直流電力に変換して充電（貯蔵）し
実質的同一の電池ユニット２０Ａ〜２０Ｃ
【００１７】
　
電池ユニット２０Ａ
電池モジュール２１Ａ
風力発電装置１０から交流電力の入力を受けて直流電力に変換するコンバータ２２Ａ
電池ユニット２０Ｂは、電池モジュール２１Ｂと、コンバータ２２Ｂと
電池ユニット２０Ｃは、電池モジュール２１Ｃと、コンバータ２２Ｃと
・「【００２０】
　コンバータ２２Ａ〜２２Ｃは、風力発電装置１０から供給される交流電力を直流電力に電力変換する電力変換器である。また、
コンバータ２２Ａ〜２２Ｃは、制御装置４０からの指令を受けて起動（ＯＮ）及び停止（ＯＦＦ）が制御される
・「【００２４】
　制御装置４０は、電池ユニット２０Ａ〜２０Ｃを充電する処理機能として、例えば、図２に示すように、記憶部４１、取得部４２、選択部４３、及び切換部４４を有する。なお、
制御装置４０は
種々の演算および制御を行うためのプロセッサ
プログラム等を格納するＲＯＭ
【００２５】
　記憶部４１は、コンバータ２２Ａ〜２２Ｃの所定の電力変換効率に対応する基準電力値に関する情報を記憶する。ここで、本実施形態の電池システム１では、図３を用いて説明した、
最適な電力変換効率に対応する最大効率時入力Ｐｅを、所定の電力変換効率に対応する基準電力値とする
電力変換効率が９０（％）以上となる
入力電力値Ｐ’を用いるなど
適宜設定
【００２６】
　
取得部４２
風力発電装置１０が供給する電力の供給電力量に関する情報
【００２７】
　
選択部４３は
供給電力量を上記基準電力値以上の電力量に分配可能な電池ユニットの個数を決定し、複数の電池ユニット２０Ａ〜２０Ｃのうち
電力を供給する電池ユニットを上記決定した個数選択する
電力を供給する優先順位を充電状態の低い順
に決定
優先順位に従って選択
・「【００３０】
　以下、図４〜図６に示すフローチャートを参照して、制御装置４０を用いて実施される本実施形態の電池システム１の充電動作処理について説明する。なお、図４〜図６のフローチャートで示される各処理は、処理内容に矛盾を生じない範囲で任意に順番を変更して又は並列に実行することができる。
【００３１】
　まず、
電池システム１の充電動作処理
コンバータ２２Ａ〜２２Ｃにおいて所定の電力変換効率を有する基準電力値Ｐｂ
【００３２】
　また、さらなる前提として、ここでは各電池セルの充電状態を、電池ユニットのＳＯＣを用いて表すものとし、充電前の電池モジュール２１Ａ〜２１Ｃの各ＳＯＣ（電池システム１の充電動作処理前の初期値のＳＯＣ）は、それぞれ８０％、６０％、７０％であるとして説明する。」
・「【００３４】
　まず、
制御装置４０は、風力発電装置１０の供給電力量Ｐの情報を風力発電装置１０から取得する（ステップＳ１００）
【００３５】
　次いで、制御装置４０は、上記取得した供給電力量Ｐの情報から、供給電力量Ｐを電池ユニットの個数Ｎで除算し、この除算した値Ｐ／Ｎが基準電力値Ｐｂ以上であるか否かを判断する
（ステップＳ１０１）
【００３６】
　上記除算した値Ｐ／Ｎが、基準電力値Ｐｂ以上である場合（ステップＳ１０１：Ｙｅｓ）、制御装置４０は、信号線を介して電池ユニット２０Ａ〜２０Ｃの各スイッチ２３Ａ〜２３Ｃに対して制御信号を送り、各スイッチ２３Ａ〜２３ＣをＯＮとする
（ステップＳ１０２）
【００３７】
　ステップＳ１０２の処理後、制御装置４０は、再度、供給電力量Ｐの情報を風力発電装置１０から取得し
（ステップＳ１０３）
（ステップＳ１０４）
供給電力量Ｐを各電池ユニット２１Ａ〜２１Ｃに分配しても各電池ユニット２１Ａ〜２１Ｃに基準電力値Ｐｂ以上の電力が供給可能
【００３８】
　ステップＳ１０４の処理において、上記除算した値Ｐ／Ｎが、基準電力値Ｐｂ以上である場合、すなわち、電力を供給する電池ユニットの個数Ｎを変更しなくても良い場合（ステップＳ１０４：Ｙｅｓ）、制御装置４０は、各電池モジュール２１Ａ〜２１Ｃが充電終了したか否かを判断する（ステップＳ１０５）。ここで、各電池モジュール２１Ａ〜２１Ｃにおける充電終了とは、例えば、各電池モジュール２１Ａ〜２１Ｃの全てが満充電となった場合や、各電池モジュール２１Ａ〜２１Ｃに充電された電力を放電する必要が生じた場合である。充電終了であれば（ステップＳ１０５：Ｙｅｓ）、本処理フローは終了し、充電終了でなければ（ステップＳ１０５：Ｎｏ）、ステップＳ１０３の処理に移る。なお、本例では、供給電力量Ｐが１００ｋＷ及び電池ユニットの個数Ｎが３であれば、除算した値Ｐ／Ｎは、約３３ｋＷとなり、基準電力値Ｐｂである４０ｋＷより小さくなるため、ステップＳ１０２〜Ｓ１０５の処理は行われない。
【００３９】
　ステップＳ１０１の処理において（又は、ステップＳ１０４の処理において）、除算した値Ｐ／Ｎが基準電力値Ｐｂより小さい場合（ステップＳ１０１：Ｎｏ（又は、ステップＳ１０４：Ｎｏ））、制御装置４０は、各電池モジュール２１Ａ〜２１Ｃの充電状態を示す情報を取得し、ＳＯＣを演算する（ステップＳ１０６）。本例では、上記除算した値Ｐ／Ｎは、約３３ｋＷであり、基準電力値Ｐｂである４０ｋＷより小さくなるため、制御装置４０は、各電池モジュール２１Ａ〜２１Ｃの充電状態を示す情報として、各電圧センサＶ１〜Ｖ３で測定された各電圧値と、各電流センサＩ１〜Ｉ３で計測された各電流値とを、各電圧センサＶ１〜Ｖ３及び各電流センサＩ１〜Ｉ３から信号線を介して取得する。制御装置４０が、上記取得した各電圧値及び各電流値により、公知の演算方法を用いて各電池モジュール２１Ａ〜２１ＣのＳＯＣを演算する。なお、上記前提条件で述べたように、本例においては、制御装置４０が演算した結果、各電池モジュール２１Ａ〜２１Ｃの充電動作処理前のＳＯＣ（初期値のＳＯＣ）は、それぞれ８０％、６０％、７０％であったものとする。
【００４０】
　次いで、
制御装置４０は
ＳＯＣに基づいて
優先順位を決定
【００４１】
　次に、図５に示すフローチャートに移り、制御装置４０は、電力を同時に供給可能な電池ユニットの個数（同時にスイッチをＯＮ可能な個数）を変数Ｍで表し、Ｍ＝Ｎ−１と設定する（ステップＳ１０８）。なお、
ステップＳ１０８〜Ｓ１１１の各処理は、各電池ユニットに供給される電力が基準電力値Ｐｂ以上になるように、風力発電装置１０から電力が供給される電池ユニットの数を調整するために行う処理である
【００４２】
　制御装置４０は、供給電力量ＰをＭで除算した値Ｐ／Ｍが、基準電力値Ｐｂより大きいか否かを判断する（ステップＳ１０９）。本例では、供給電力量Ｐである１００ｋＷを、Ｍ（＝Ｎ（３）−１）である２で除算した値Ｐ／Ｍが、基準電力値Ｐｂである４０ｋＷ以上であるか否かを判断する。
【００４３】
　上記除算した値Ｐ／Ｍが基準電力値Ｐｂより小さい場合（ステップＳ１０９：Ｎｏ）、制御装置４０は、Ｍ＝Ｍ−１と再設定して（ステップＳ１１０）、Ｍが２以上であれば（ステップＳ１１１：Ｙｅｓ）、ステップＳ１０９の処理に戻る。一方、Ｍが２より小さい場合（すなわち、Ｍが１の場合）（ステップＳ１１１：Ｎｏ）、制御装置４０は、電力の供給可能対象とする電池ユニットの個数を変数Ｑで表し、Ｑ＝１と設定する（ステップＳ１１２）。
【００４４】
　一方、上記除算した値Ｐ／Ｍが基準電力値Ｐｂ以上である場合（ステップＳ１０９：Ｙｅｓ）、制御装置４０は、
電力の供給可能対象とする電池ユニットの個数を変数Ｑで表し、Ｑ＝Ｍと設定
【００４５】
　次いで、制御装置４０は、まず、
優先順位が１番目からＱ番目の電池ユニットまで各々Ｐ／Ｍの電力を供給する
制御装置４０
供給
対応するスイッチ２３Ｂ、２３ＣをＯＮと
各コンバータ２２Ｂ、２２Ｃも起動
コンバータ２２Ｂ、２２Ｃでの電力変換効率を高い状態で維持しつつ、電池モジュール２１Ｂ、２１Ｃは充電される
・「【００６２】
　以上、本実施形態の電池システム１によれば、風力発電装置１０からの供給電力量に応じて、且つ、電力変換器２２Ａ〜２２Ｃの電力変換効率をも考慮して、並列にそれぞれ接続された複数の電池ユニット２０Ａ〜２０Ｃのうち供給すべき電池ユニットを選択することができるので、高い充電効率を維持して最適な個数の電池モジュールを充電することができる。」
・段落【００１４】、【００１６】、【００１７】の記載事項及び図２の記載からみて、
コンバータ２２Ａ〜２２Ｃは、各電池モジュール２１Ａ〜２１Ｃに充電するため、前記各電池モジュール２１Ａ〜２１Ｃごとに対応して前記各電池ユニット２０Ａ〜２０Ｃに備えられる
　したがって、上記先願明細書５には次の発明（以下、「引用発明５−１」という。）が記載されていると認められる。
＜引用発明５−１＞
「電池装置２０が、電池モジュール２１Ａ〜２１Ｃを有する３つの電池ユニット２０Ａ〜２０Ｃを備え、風力発電装置１０で発生した電力を前記電池装置２０に供給して充電する電池システム１において、
　風力発電装置１０の供給電力量Ｐの情報を風力発電装置１０から取得する取得部４２と、
　前記風力発電装置１０から交流電力の入力を受けて直流電力に変換し、各電池モジュール２１Ａ〜２１Ｃに充電するため、前記各電池モジュール２１Ａ〜２１Ｃごとに対応して前記各電池ユニット２０Ａ〜２０Ｃに備えられる実質的に同一特性のコンバータ２２Ａ〜２２Ｃと、
　前記コンバータ２２Ａ〜２２Ｃについての所定の電力変換効率を有する基準電力値Ｐｂに基づいて、前記各電池ユニット２０Ａ〜２０Ｃのうちから、前記供給電力量Ｐを、前記コンバータ２２Ａ〜２２Ｃが前記基準電力値Ｐｂ以上となる電力量に分配可能な個数Ｍを決定し、該決定した個数Ｍの電池ユニットをＳＯＣに基づく優先順位に従って選択するとともに、選択した電池ユニットに各々Ｐ／Ｍの電力を供給することを決定する制御装置４０と、
　前記選択した電池ユニットに前記Ｐ／Ｍの電力が供給されるように、対応するスイッチ２３Ａ〜２３ＣをＯＮとし、対応するコンバータを起動する制御装置４０と
　を備える電池システム１。」
　また、先願明細書５には、前記（１）摘記の事項が記載されており、先願明細書５の段落【００３５】〜【００４４】の記載事項からみて、
コンバータ２２Ａ〜２２Ｃについての所定の電力変換効率を有する基準電力値Ｐｂに基づいて、各電池ユニット２０Ａ〜２０Ｃのうちから、供給電力量Ｐを、前記コンバータ２２Ａ〜２２Ｃが前記基準電力値Ｐｂ以上となる電力量に分配可能な個数Ｍを決定し、該決定した個数Ｍの電池ユニットをＳＯＣに基づく優先順位に従って選択するとともに、選択した電池ユニットに各々Ｐ／Ｍの電力を供給することを決定するステップＳ１０１〜Ｓ１１３と
　そうすると、次の発明（以下、「引用発明５−２」という。）も記載されていると認められる。
＜引用発明５−２＞
「電池装置２０が、電池モジュール２１Ａ〜２１Ｃを有する３つの電池ユニット２０Ａ〜２０Ｃを備え、電池システム１は、風力発電装置１０から交流電力の入力を受けて直流電力に変換し、各電池モジュール２１Ａ〜２１Ｃに充電するため、前記各電池モジュール２１Ａ〜２１Ｃごとに対応して前記各電池ユニット２０Ａ〜２０Ｃに備えられる実質的に同一特性のコンバータ２２Ａ〜２２Ｃを有する、前記風力発電装置１０で発生した電力を前記電池装置２０に供給して充電する電池システム１の充電動作処理方法において、
　風力発電装置１０の供給電力量Ｐの情報を風力発電装置１０から取得するステップＳ１００と、
　前記コンバータ２２Ａ〜２２Ｃについての所定の電力変換効率を有する基準電力値Ｐｂに基づいて、前記各電池ユニット２０Ａ〜２０Ｃのうちから、前記供給電力量Ｐを、前記コンバータ２２Ａ〜２２Ｃが前記基準電力値Ｐｂ以上となる電力量に分配可能な個数Ｍを決定し、該決定した個数Ｍの電池ユニットをＳＯＣに基づく優先順位に従って選択するとともに、選択した電池ユニットに各々Ｐ／Ｍの電力を供給することを決定するステップＳ１０１〜Ｓ１１３と、
　前記選択した電池ユニットに前記Ｐ／Ｍの電力が供給されるように、対応するスイッチ２３Ａ〜２３ＣをＯＮとし、対応するコンバータを起動するステップＳ１１４と
　を備える電池システム１の充電動作処理方法。」
　また、先願明細書５の段落【0024】の「制御装置４０は、電池ユニット２０Ａ〜２０Ｃを充電する処理機能として…（中略）…及び切換部４４を有する。なお、制御装置４０は、例えば、種々の演算および制御を行うためのプロセッサ…（中略）…プログラム等を格納するＲＯＭ、及び周辺回路から構成され、上記各部の処理機能を実現することができる。」という記載からみて、先願明細書５には、プロセッサに引用発明５−２の充電動作処理方法の各ステップを実行させるためのプログラムが記載されているといえる。
　したがって、先願明細書５には次の発明（以下、「引用発明５−３」という。）も記載されていると認められる。
＜引用発明５−３＞
「プロセッサに、
　電池装置２０が、電池モジュール２１Ａ〜２１Ｃを有する３つの電池ユニット２０Ａ〜２０Ｃを備え、電池システム１は、前記風力発電装置１０から交流電力の入力を受けて直流電力に変換し、各電池モジュール２１Ａ〜２１Ｃに充電するため、前記各電池モジュール２１Ａ〜２１Ｃごとに対応して前記各電池ユニット２０Ａ〜２０Ｃに備えられる実質的に同一特性のコンバータ２２Ａ〜２２Ｃを有する、風力発電装置１０で発生した電力を前記電池装置２０に供給して充電する電池システム１の充電動作処理方法のプログラムであって、
　風力発電装置１０の供給電力量Ｐの情報を風力発電装置１０から取得するステップＳ１００と、
　前記コンバータ２２Ａ〜２２Ｃについての所定の電力変換効率を有する基準電力値Ｐｂに基づいて、前記各電池ユニット２０Ａ〜２０Ｃのうちから、前記供給電力量Ｐを、前記コンバータ２２Ａ〜２２Ｃが前記基準電力値Ｐｂ以上となる電力量に分配可能な個数Ｍを決定し、該決定した個数Ｍの電池ユニットをＳＯＣに基づく優先順位に従って選択するとともに、選択した電池ユニットに各々Ｐ／Ｍの電力を供給することを決定するステップＳ１０１〜Ｓ１１３と、
　前記選択した電池ユニットに前記Ｐ／Ｍの電力が供給されるように、対応するスイッチ２３Ａ〜２３ＣをＯＮとし、対応するコンバータを起動するステップＳ１１４とを含む
　各ステップを実行させるためのプログラム。」
（２）対比・判断
ア．本願発明１について
（ア）対比
　本願発明１と、引用発明５−１とを対比すると、次のことがいえる。
（ａ）引用発明５−１における「電池モジュール２１Ａ〜２１Ｃ」は、本願発明１における「複数の蓄電池」に相当する。
（ｂ）引用発明５−１における「電池システム１」は、「風力発電装置１０から交流電力の入力を・・・各電池モジュール２１Ａ〜２１Ｃに充電する」ものであって、それは「所定の地域範囲」に設置されていると認められるから、引用発明５−１における「風力発電装置１０の供給電力量Ｐ」は、本願発明１における「所定の地域範囲において蓄電池に対して充電すべき総電力」に相当する。そして、引用発明５−１における「風力発電装置１０の供給電力量Ｐの情報を風力発電装置１０から取得する取得部４２」は、本願発明１における「所定の地域範囲において蓄電池に対して充電すべき総電力または前記地域範囲において蓄電池から放電させるべき総電力を算出する総電力算出部」に相当する。
（ｃ）引用発明５−１における「各電池モジュール２１Ａ〜２１Ｃごとに対応して各電池ユニット２０Ａ〜２０Ｃに備えられる実質的に同一特性のコンバータ２２Ａ〜２２Ｃ」は、「風力発電装置１０から交流電力の入力を受けて直流電力に変換」するものであって、本願発明１における「蓄電池に充電するための電力の交流直流変換または蓄電池から放電により出力される電力の直流交流変換を行うために前記複数の蓄電池ごとに対応して備えられるインバータ」に相当する。
　そして、引用発明５−１における「前記コンバータ２２Ａ〜２２Ｃについての所定の電力変換効率を有する基準電力値Ｐｂに基づいて、前記各電池ユニット２０Ａ〜２０Ｃのうちから、前記供給電力量Ｐを、前記コンバータ２２Ａ〜２２Ｃが前記基準電力値Ｐｂ以上となる電力量に分配可能な個数Ｍを決定し、該決定した個数Ｍの電池ユニットをＳＯＣに基づく優先順位に従って選択するとともに、選択した電池ユニットに各々Ｐ／Ｍの電力を供給することを決定する制御装置４０」と、本願発明１における「蓄電池に充電するための電力の交流直流変換または蓄電池から放電により出力される電力の直流交流変換を行うために前記複数の蓄電池ごとに対応して備えられるインバータについての電力に応じた効率の変動特性を、前記インバータごとに示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定部」とは、いずれも「蓄電池に充電するための電力の交流直流変換または蓄電池から放電により出力される電力の直流交流変換を行うために前記複数の蓄電池ごとに対応して備えられるインバータについての電力に応じた効率の変動特性を示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定部」である点で共通する。
（ｄ）引用発明５−１における「前記選択した電池ユニットに前記Ｐ／Ｍの電力が供給されるように、対応するスイッチ２３Ａ〜２３ＣをＯＮとし、対応するコンバータを起動する制御装置４０」は、本願発明１における「前記分配対象としての蓄電池の各々に対して前記分配電力が分配されるように、制御する電力制御部」に相当する。
（ｅ）引用発明５−１における「電池システム１」は、本願発明１における「電力管理装置」に相当する。
　したがって、本願発明１と引用発明５−１との間には、次の一致点、相違点があるといえる。
＜一致点＞
「複数の蓄電池を備える所定の地域範囲において蓄電池に対して充電すべき総電力または前記地域範囲において蓄電池から放電させるべき総電力を算出する総電力算出部と、
　蓄電池に充電するための電力の交流直流変換または蓄電池から放電により出力される電力の直流交流変換を行うために前記複数の蓄電池ごとに対応して備えられるインバータについての電力に応じた効率の変動特性を示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定部と、
　前記分配対象としての蓄電池の各々に対して前記分配電力が分配されるように、制御する電力制御部と
　を備える電力管理装置。」
＜相違点４＞
　分配電力決定部に関し、本願発明１は、複数の蓄電池ごとに対応して備えられるインバータについての電力に応じた効率の変動特性を、「前記インバータごとに示すインバータ効率特性に基づいて、」前記複数の蓄電池のうちから、前記総電力を分配したときにインバータにおける効率が一定以上となる１以上の蓄電池を前記総電力の分配対象として決定する構成であるのに対し、引用発明５−１は、蓄電池（各電池ユニット２０Ａ〜２０Ｃ）ごとに対応して備えられるインバータ（コンバータ２２Ａ〜２２Ｃ）は「実質的に同一特性」であり「電池ユニットをＳＯＣに基づく優先順位に従って選択する」ものであって、「インバータごとに示すインバータ効率特性に基づいて」分配対象とする構成ではない点。
（イ）相違点４についての判断
　相違点４が存在するため、本願発明１と引用発明５−１とは同一ではない。さらに、相違点４が課題解決のための具体化手段におけるの微差であるか否かについて検討する。
　そこで、本願発明１が、「インバータごとに示すインバータ効率特性に基づいて」効率が一定以上となる１以上の蓄電池を前記総電力の分配対象として決定する構成であることの課題ないし技術的意義について検討する。
　本願明細書の段落【００４１】，【００４４】，【００４９】，【００５９】の記載事項を参照すると、本願発明１が「インバータごとに示すインバータ効率特性に基づいて」効率が一定以上となる１以上の蓄電池を前記総電力の分配対象として決定する構成であることの課題ないし技術的意義は、電力管理地域１における需要家施設１０ごとの各インバータ１０４は、メーカや機種などに応じて定格電力、定格電力時の効率の値、境界値αなどのパラメータが異なるという状況であっても、効率が一定以上となるインバータに対応する１以上の蓄電池を前記総電力の分配対象として決定できるように、電力管理地域１におけるインバータ１０４ごとのインバータ効率特性をインバータ効率特性テーブル２４０に格納し、このインバータ効率特性テーブル２４０を参照して、インバータ１０４における損失が一定以下（効率が一定以上）となる電力で充電可能な１以上の蓄電池１０３を充電対象として決定するとともに、充電対象としての蓄電池１０３ごとに電力をどれだけ分配して充電すべきかについても決定するようにしているものであることが理解できる。
　本願発明１のこのような課題ないし技術的意義は、複数台のインバータ（コンバータ２２Ａ〜２２Ｃ）が「実質的に同一特性」であり「電池ユニットをＳＯＣに基づく優先順位に従って選択する」という引用発明５−１では奏さないものである。
　したがって、相違点４が課題解決のための具体化手段における微差とはいえないから、本願発明１と引用発明５−１とは、実質的に同一であるということもできない。
イ．本願発明２〜１１について
　本願発明２〜１１は、本願発明１を直接又は間接的に引用して発明特定事項を特定する発明であり、本願発明１が備える発明特定事項を全て備えている。したがって、本願発明２〜１１と引用発明５−１とは、上記ア(ア)で述べた本願発明１と引用発明５−１との相違点４で相違する。そして、上記ア(イ)で述べたとおり、この相違点４は実質的な相違点であるから、本願発明２〜１１と、引用発明５−１とは、実質的にも同一ではない。
ウ．本願発明１２について
（ア）対比・判断
　本願発明１２と、引用発明５−２とを対比すると、上記ア(ア)で述べたのと同様なことがいえ、引用発明５−２における「取得するステップＳ１００」、「コンバータ２２Ａ〜２２Ｃ」、「コンバータを起動するステップＳ１１４」及び「電池システム１の充電動作処理方法」は、それぞれ本願発明１２における「総電力算出ステップ」、「インバータ」、「電力制御ステップ」及び「電力管理方法」に相当する。
　また、引用発明５−２における「各電池モジュール２１Ａ〜２１Ｃごとに対応して各電池ユニット２０Ａ〜２０Ｃに備えられる実質的に同一特性のコンバータ２２Ａ〜２２Ｃ」は、「風力発電装置１０から交流電力の入力を受けて直流電力に変換」するものであって、本願発明１における「蓄電池に充電するための電力の交流直流変換または蓄電池から放電により出力される電力の直流交流変換を行うために前記複数の蓄電池ごとに対応して備えられるインバータ」に相当する。
　そして、引用発明５−２における「前記コンバータ２２Ａ〜２２Ｃについての所定の電力変換効率を有する基準電力値Ｐｂに基づいて、前記各電池ユニット２０Ａ〜２０Ｃのうちから、前記供給電力量Ｐを、前記コンバータ２２Ａ〜２２Ｃが前記基準電力値Ｐｂ以上となる電力量に分配可能な個数Ｍを決定し、該決定した個数Ｍの電池ユニットをＳＯＣに基づく優先順位に従って選択するとともに、選択した電池ユニットに各々Ｐ／Ｍの電力を供給することを決定するステップＳ１０１〜Ｓ１１３」と、本願発明１２における「蓄電池に充電するための電力の交流直流変換または蓄電池から放電により出力される電力の直流交流変換を行うために前記複数の蓄電池ごとに対応して備えられるインバータについての電力に応じた効率の変動特性を、前記インバータごとに示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定ステップ」とは、「蓄電池に充電するための電力の交流直流変換または蓄電池から放電により出力される電力の直流交流変換を行うために前記複数の蓄電池ごとに対応して備えられるインバータについての電力に応じた効率の変動特性を示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定ステップ」である点で共通する。
　したがって、本願発明１２と引用発明５−２との間には、次の一致点、及び上記相違点４と同様な相違点５があるといえる。
＜一致点＞
「複数の蓄電池を備える所定の地域範囲において蓄電池に対して充電すべき総電力または前記地域範囲において蓄電池から放電させるべき総電力を算出する総電力算出ステップと、
　蓄電池に充電するための電力の交流直流変換または蓄電池から放電により出力される電力の直流交流変換を行うために前記複数の蓄電池ごとに対応して備えられるインバータについての電力に応じた効率の変動特性を示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定ステップと、
　前記分配対象としての蓄電池の各々に対して前記分配電力が分配されるように、制御する電力制御ステップと
　を備える電力管理方法。」
＜相違点５＞
　分配電力決定ステップに関し、本願発明１２は、前記複数の蓄電池ごとに対応して備えられるインバータについての電力に応じた効率の変動特性を、「前記インバータごとに示すインバータ効率特性に基づいて、」前記複数の蓄電池のうちから、前記総電力を分配したときにインバータにおける効率が一定以上となる１以上の蓄電池を前記総電力の分配対象として決定する構成であるのに対し、引用発明５−２は、蓄電池ごと（各電池ユニット２０Ａ〜２０Ｃ）に対応して備えられるインバータ（コンバータ２２Ａ〜２２Ｃ）は「実質的に同一特性」であり「電池ユニットをＳＯＣに基づく優先順位に従って選択する」ものであって、「インバータごとに示すインバータ効率特性に基づいて」分配対象とする構成ではない点。
　相違点５について検討すると、相違点５は、相違点４と同様な相違点であるから、上記ア(イ)で述べたのと同様の理由で、本願発明１２と引用発明５−２とが、実質的にも同一であるということはできない。
エ．本願発明１３について
（ア）対比・判断
　本願発明１３と、引用発明５−３とを対比すると、上記ア(ア)、上記ウ（ア）で述べたのと同様なことがいえ、引用発明５−３における「取得するステップＳ１００」、「コンバータ２２Ａ〜２２Ｃ」及び「コンバータを起動するステップＳ１１４」は、それぞれ本願発明１２における「総電力算出ステップ」、「インバータ」及び「電力制御ステップ」に相当する。
　そして、引用発明５−３における「プロセッサ」及び「各ステップを実行させるためのプログラム」は、それぞれ本願発明１３における「コンピュータ」及び「実行させるためのプログラム」に相当する。
　したがって、本願発明１３と引用発明５−３との間には、次の一致点、及び上記相違点５と同様の相違点６があるといえる。
＜一致点＞
「コンピュータに、
　複数の蓄電池を備える所定の地域範囲において蓄電池に対して充電すべき総電力または前記地域範囲において蓄電池から放電させるべき総電力を算出する総電力算出ステップと、
　蓄電池に充電するための電力の交流直流変換または蓄電池から放電により出力される電力の直流交流変換を行うために前記複数の蓄電池ごとに対応して備えられるインバータについての電力に応じた効率の変動特性を示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定ステップと、
　前記分配対象としての蓄電池の各々に対して前記分配電力が分配されるように、制御する電力制御ステップと
　を実行させるためのプログラム。」
＜相違点６＞
　分配電力決定ステップに関し、本願発明１３は、前記複数の蓄電池ごとに対応して備えられるインバータについての電力に応じた効率の変動特性を、「前記インバータごとに示すインバータ効率特性に基づいて、」前記複数の蓄電池のうちから、前記総電力を分配したときにインバータにおける効率が一定以上となる１以上の蓄電池を前記総電力の分配対象として決定する構成であるのに対し、引用発明５−３は、蓄電池ごと（各電池ユニット２０Ａ〜２０Ｃ）に対応して備えられるインバータ（コンバータ２２Ａ〜２２Ｃ）は「実質的に同一特性」であり「電池ユニットをＳＯＣに基づく優先順位に従って選択する」ものであって、「インバータごとに示すインバータ効率特性に基づいて」分配対象とする構成ではない点。
　上記ウ(ア)で述べたとおり、相違点６は、相違点５（及び相違点４）と同様な相違点であるから、上記ア(イ)で述べたのと同様の理由で、本願発明１３と引用発明５−３とは、実質的にも同一ではない。
オ．小括
　以上のとおりであるから、本願の請求項１〜１３に係る発明は、いずれも、先願明細書５に記載された発明と実質的にも同一ではない。
２．先願６に記載された発明との同一性について
（１）先願６
　原査定の拒絶の理由に引用された、先願６の願書に最初に添付された明細書、特許請求の範囲及び図面（以下、「先願明細書６」という。）には、次の事項が記載されている。
・「【請求項１】
電力配線と、
電池セルと、前記電池セルから直流電力を受けて交流電力に変換し且つ前記交流電力を前記電力配線に出力するインバータとを備えた複数の実質的に同一のインバータユニットと、
前記複数のインバータユニットを制御する制御装置と
を有し、
前記制御装置は、各々の前記電池セルの劣化情報をそれぞれ演算し、前記電力配線へ供給する電力量及び前記劣化情報に応じて駆動対象外とするインバータユニットを前記複数のインバータユニットの中から決定することを特徴とする電池システム。」
・「【０００１】
　本発明は、交流電力を出力する複数のインバータを備えた電池システムに関する。」
・「【０００９】
　本発明の実施形態に係る電池システムは複数の実質的に同一構成のインバータユニットを備えており、電池システムに組み込まれる直流電源としての
複数の電池セルの劣化の度合いを考慮し
劣化の大きい電池セルに接続したインバータユニットは駆動せずに他のインバータユニットを駆動
【００１０】
まず、本発明の実施形態の電池システムの構成につき図面を参照して説明する。その動作については後述する。
図１は
電池システム１
交流電力の供給
交流電力負荷２
複数のインバータユニット３（ここでは、３−１及至３−４）
インバータユニット３は、直流電源としての電池モジュールＢＭと、
電池モジュールＢＭから直流電力の入力を受けて交流電力へ変換するインバータＩｎｖ
電池モジュールＢＭ１、インバータＩｎｖ１
インバータユニット３−２及至３−４でも同様
各インバータユニット３のインバータＩｎｖ、電池モジュールＢＭ、及びスイッチＳＷはバスまたは信号線を介して制御装置４に接続されている。従って、制御装置４は、当該バスまたは信号線を介して、電池モジュールＢＭから電池セルに関する後述の計測情報を受け、また、インバータＩｎｖ及びスイッチＳＷの動作を制御する。」
・「【００１４】
　では、電池システム１の動作、具体的には、制御装置４が行う複数のインバータユニット３の
制御動作
まず、
インバータＩｎｖの
最大出力Ｐｍ
最大効率時出力Ｐｅ
いずれのインバータユニット３も、実質的に同一特性のインバータＩｎｖ
また、インバータユニット３の個数を固定値であるＮ、ここでは図１に示すように
インバータＩｎｖ１〜Ｉｎｖ４の４つ
さらに、
交流電力負荷２に供給する電力（以下、「供給電力」という）
Ｐ
そして、図３で用いる演算では、床関数floor(x)を適宜用いる。床関数とは、固有値ｘ以下の最大の整数を解とする演算式であり、例えば、ｘ＝１．５の場合、floor (１．５)＝１となる。また、ｘ＝１の場合、floor(１)＝１となる。さらに、ｘ＝０．５の場合、floor(０．５)＝０となる。
なお、以上のように最大出力Ｐｍや交流電力負荷２の最大許容電力等を仮定して説明する都合上、電池モジュールＢＭの備える電池セルの数等は適宜これらに対応するものとする必要があるため、以下に説明する電池システム１の構成は、図２の電池モジュールに示す構成と同数の電池セルを備えているとは限らない。
【００１５】
そして、さらなる前提として、ここでは各電池セルの劣化情報として、各電池セルの充電率ＳＯＣ（State Of Charge）を用いる。充電率ＳＯＣは、満充電時における電池の容量に対して充電残量がどのくらいかを比率（パーセント）で表すものであり、セル電圧と各アームを流れる電流により、公知の演算方法を用いて所定時間毎（例えば、２分間毎）に制御装置４にて算出される。
劣化情報として充電率ＳＯＣを用いることができる理由は、次のとおりである。
すなわち、複数の電池セルとして新品から中古のものまで混在させて電池システム１に使用する場合において、電池セルが二次電池の場合には交流電力負荷２へ電力供給を開始する前に全ての電池セルに一律に充電を行うのが一般的であるが、かように一律に充電しても、一部の電池セルに劣化がある場合には他の電池セルの充電率ＳＯＣより低い充電率までしか当該一部の電池セルに充電することができない。例えば、全ての電池セルを一律に同時に充電しても、他の電池セルの充電率ＳＯＣが７０％であるにも関わらず、ある電池セルの充電率ＳＯＣは３０％にしかならない場合もあり得るのである。これは劣化した電池セルでは内部抵抗が上昇しているためである。
なお、かような現象は、当初、全ての電池セルを新品の状態から電池システム１で使用していた場合にも、長期間使用することで、電池セルごとに充電率ＳＯＣのばらつきが生じ得るので、新品と中古のものを混在させた場合に限らず発生する。
このため、各電池セルの充電率ＳＯＣを、ここでは各電池セルの劣化情報として用いることとするものである。」
・「【００１７】
では、以上を前提として、電池システム１の動作を説明する。
まず、ユーザーにより駆動スイッチがＯＮされることで、インバータユニット３以外の図示しない小電源によって制御装置４が起動し、
制御装置４内の不揮発性メモリー（図示なし）に記録された
Ｐｍ、Ｐｅの値を制御装置４が読み出す
【００１８】
ステップＳ２の後、制御装置４は、変数Ｍを用いて、まずはＭ＝Ｎとする（ステップＳ３）。図１では、Ｎ＝４であるので、Ｍ＝４となる。
そして、制御装置４は、ｉ＝floor(Ｐ÷Ｐｍ)を演算する（ステップＳ４）。ｉの値は、ｉ個または（ｉ＋１）個のインバータユニット３が後述の場合分けに従って駆動されることを意味する。ステップＳ２により供給電力Ｐ＝９５０ｋＷであり、最大電力Ｐｍは固定値であって且つここではＰｍ＝５００ｋＷであるので、ｉ＝１となる。
【００１９】
ステップＳ４の後、制御装置４は、ｉ＝Ｎかｉ≠Ｎかを判断する（ステップＳ５）。ここでは、Ｎ＝４且つｉ＝１であるので、制御装置４はｉ＝Ｎではないと判断し、「ｎｏ」の場合のステップＳ７に進む。
なお、ステップＳ５で制御装置４がｉ＝Ｎと判断する場合とは、全てのインバータユニット３を最大出力Ｐｍで駆動する必要がある場合である。すなわち、電池セルの劣化を考慮している余裕はなく、短時間であろうとも全インバータＩｎｖに最大出力を供給させることが求められる場合である。従って、制御装置４がｉ＝Ｎであると判断して「ｙｅｓ」の場合であるステップＳ６へ進む場合には、制御装置４は全てのインバータユニット３のインバータＩｎｖの出力を最大電力Ｐｍとする制御を行うべく、全てのインバータユニット３のインバータＩｎｖに出力を最大電力Ｐｍとするよう制御信号を送信する。そして、これを受信した各インバータＩｎｖでは、出力を最大電力Ｐｍとする（ステップＳ６）。そして、次のステップＳ２０へ進む。
【００２０】
ステップＳ５からステップＳ７に進んだ場合、駆動対象のインバータＩｎｖに接続された電池モジュールＢＭの電池セルの中から一番劣化している可能性が高いという劣化情報が得られた電池セルを含むインバータユニット３を、制御装置４は駆動対象外とする（ステップ７）。ここでは、
劣化情報として充電率ＳＯＣの値を用いる
なお、制御装置４は、駆動対象外のインバータユニット３のインバータＩｎｖを駆動する制御を行わないので、当該インバータＩｎｖは交流電力の出力を行わない。
また、以上のように駆動対象外のインバータユニット３を選別するので、仮にインバータユニット３が最も劣化の少ないという劣化情報を示す電池セルを含んでいたとしても、当該インバータユニット３が一番劣化している可能性が高いという劣化情報（以下、「劣った劣化情報」ともいう）が得られた電池セルをも含んでいる場合には、駆動対象外として選別されることになるので注意を要する。
【００２１】
ステップＳ７の後、制御装置４は、Ｍ−１の値をＭに置換する。すなわち、Ｍ＝Ｍ−１とする（ステップＳ８）。ここでは、当初Ｍ＝４であったので、今、Ｍ＝３と設定されたことになる。
そして、制御装置４は、Ｍ＝ｉ＋１かＭ≠ｉ＋１かを判断する（ステップＳ９）。ここでは、Ｍ＝３且つｉ＝１であるので、制御装置４はＭ＝ｉ＋１ではないと判断し、「ｎｏ」の場合のステップＳ７に進む。ステップＳ７では、上述の動作がなされるので、具体的には現時点で駆動対象となっているインバータユニット３−１〜３−３の中の電池セルのうち一番劣化している可能性が高いという劣化情報が得られた電池セルを含むインバータユニット３を、制御装置４は駆動対象外とする。ここでは、仮に、インバータユニット３−３も駆動対象外となったとして話を進める。
そして、ステップＳ７及びＳ８をＭ＝ｉ＋１となるまで繰り返し、ステップＳ９で制御装置４がＭ＝ｉ＋１であると判断した場合には、「ｙｅｓ」の場合のステップＳ１０に進む。
なお、ステップＳ１０に進む際には、制御装置４は、ｉ＋１個のインバータユニット３のみを駆動対象として認識していることになる。すなわち、各電池セルの劣化情報に基づいて、電池劣化の観点から複数のインバータユニット３の中から出力を継続することができる可能性が高いものから順にｉ＋１個のインバータユニット３を選別し、これを駆動対象としている。ここでは、例えば、インバータユニット３−１及び３−２のみが駆動対象として制御装置４に認識されている。
【００２２】
ステップＳ９の後、ステップＳ１０では、制御装置４は、Ｍ＝１かＭ≠１かを判断する（ステップＳ１０）。ここでは、ステップＳ９によりＭ＝２であるので、制御装置４はＭ＝１ではないと判断し、「ｎｏ」の場合のステップＳ１１に進む。
なお、制御装置４がＭ＝１であると判断する場合は、ｉ＝０の場合であって基本的にただ１つのインバータユニット３のみの駆動で供給電力を賄える場合である。この場合には、ステップＳ１０から「ｙｅｓ」の場合のステップＳ１７に進む。ステップＳ１７については、後述する。
【００２３】
ステップＳ１１では、駆動対象のｉ＋１個のインバータユニット３の中から、一番劣化している可能性が高いという劣化情報が得られた電池セルを含むインバータユニット３を、制御装置４が選別する（ステップＳ１１）。理解容易のため、その選別されたインバータユニット３のインバータＩｎｖをインバータＩａとする。ここでは、例えばインバータユニット３−２のインバータがインバータＩａであるとして話を進める。
【００２４】
そして、ステップＳ１２に進み、制御装置４は、関係式Ｐ−Ｐｍ×ｉ≧２×Ｐｅの関係にあるか否かを演算し、制御装置４がこの関係にあると判断した場合には、「ｙｅｓ」の場合のステップＳ１３に進み、当該関係にないと判断した場合には、「ｎｏ」の場合のステップＳ１４に進む（ステップＳ１２）。
そして、ステップＳ１４では、制御装置４は、関係式２×Ｐｅ＞Ｐ−Ｐｍ×ｉ≧Ｐｅの関係にあるか否かを演算し、制御装置４がこの関係にあると判断した場合には、「ｙｅｓ」の場合のステップＳ１５に進み、当該関係にないと判断した場合には、「ｎｏ」の場合のステップＳ１６に進む（ステップＳ１４）。」
【００２５】
ここで、ステップ１２とステップ１４にて、以上の場合分けを行う理由は次のとおりである。
まず、現在、駆動対象となっているｉ＋１個のインバータユニット３のうち、インバータＩａを含まないインバータユニット３は、インバータＩａを含むインバータユニット３に比べて電池セルの劣化の程度が悪くないことから、インバータＩａを含まないインバータユニット３のインバータＩｎｖの出力を全て最大出力Ｐｍとしてもよいと考える。もちろん、インバータＩｎｖの出力を最大出力Ｐｍとすることにより、出力を最大効率時出力Ｐｅとした場合に比べて変換効率は悪化するが、近年のインバータ技術の向上により、出力を最大出力Ｐｍとした場合であっても、その変換効率は９０％以上であるので、供給電力をできるだけ長く維持する観点を優先して制御してもさほど電池システム１の全体としての変換効率は悪化しないという判断である。
そして、次に、駆動対象のインバータユニット３のインバータＩｎｖを全て最大出力Ｐｍで駆動した場合における
供給電力Ｐに対するインバータＩａの負担分の出力（すなわち、Ｐ−Ｐｍ×ｉ）が、できるだけ最大効率時出力Ｐｅに近づくように処理する
【００２６】
このため、ステップＳ１２では、上述のように、制御装置４が関係式Ｐ−Ｐｍ×ｉ≧２×Ｐｅの関係にあるか否かを演算して判断している。そして、この関係式を満たす場合には、上記負担分を最大効率時出力Ｐｅ付近の出力で２つのインバータＩｎｖにて負担できることから、駆動対象外となったインバータユニット３のうち、一番最後に駆動対象外と判断されたインバータユニット３をやはり駆動対象とすることとし、当該インバータユニット３のインバータＩｎｖを最大効率時出力Ｐｅで出力するよう制御装置４が制御信号を送信する。そして、当該制御信号を受信した当該インバータＩｎｖは、最大効率時出力Ｐｅで出力をする。当該インバータユニット３が、現時点で駆動対象であるインバータユニット３の中で一番劣化している電池セルを含んでいるため、最適な変換効率で駆動するものである。
また、インバータＩａに対してはＰ−Ｐｍ×ｉ−Ｐｅの出力をするよう、制御装置４が制御信号を送信する。そして、当該制御信号を受信した当該インバータＩａは、当該出力をする。
さらに、この時点で駆動対象であるインバータユニット３のうち、上述の２つのインバータユニットの他のインバータユニット３のインバータＩｎｖを最大出力Ｐｍで出力するよう制御装置４が制御信号を送信する。そして、当該制御信号を受信した当該インバータＩｎｖは、当該出力をする（ステップＳ１３）。
そして、ステップＳ２０へ進むことになる。
ここで、Ｐ＝９５０ｋＷ、Ｐｅ＝２００ｋＷ、Ｐｍ＝５００ｋＷ、ｉ＝１であるので、当該インバータＩａの出力は２５０ｋＷとなる。すなわち、ステップＳ１２の時点で駆動対象となっていたインバータユニット３の中で、一番劣化が進んだ電池セルを備えたインバータユニット３のインバータＩｎｖは、最大効率時電力Ｐｅに近接した出力を行うので、結果として供給電力をできるだけ長く維持且つ電池システム１を効率的に運転することができる。
【００２７】
一方、ステップＳ１５に進む場合は、上記負担分を最大効率時出力Ｐｅ付近の出力で２つのインバータＩｎｖにて負担することはできないことから、インバータＩａに対してはＰ−Ｐｍ×ｉの出力をするよう、制御装置４が制御信号を送信する。そして、当該制御信号を受信した当該インバータＩａは、当該出力をする。また、駆動対象の他のインバータユニット３のインバータＩｎｖを最大出力Ｐｍで出力するよう制御装置４が制御信号を送信する。そして、当該制御信号を受信した当該インバータＩｎｖは、当該出力をする（ステップＳ１５）。
そして、ステップＳ２０へ進むことになる。
【００２８】
さらに、ステップＳ１６に進む場合は、上記
負担分が最大効率時出力Ｐｅより小さい場合
上記負担分より大きい値である最大効率時出力Ｐｅの出力をするよう、制御装置４が制御信号を送信
また、
駆動対象の他のインバータユニット３のインバータＩｎｖに対しては、上記負担分よりも余分に大きな値を出力しているインバータＩａを鑑みて、この余分を調整すべく、最大出力Ｐｍよりも小さい値であるＰｍ−{Ｐｅ−（Ｐ−Ｐｍ×ｉ）}÷ｉで出力するよう、制御装置４が制御信号を送信
当該制御信号を受信した当該インバータＩｎｖは、当該出力をする（ステップＳ１６）
そして、ステップＳ２０へ進むことになる。
【００２９】
ここで、ステップＳ２０の説明に進む前に、ステップＳ１０から進んだステップＳ１７以降の説明を先に行う。
ステップＳ１７に進む場合は、上述のように、１つのインバータユニット３のみで供給電力を賄うことができる場合である。しかし、ステップＳ１２の関連記載で述べたように、２×Ｐｅ≦Ｐの場合には、２つのインバータＩｎｖで最大効率時出力Ｐｅ付近の出力をさせた方がシステム全体の変換効率が向上する。このため、制御装置４は、関係式２×Ｐｅ≦Ｐであるか否かを演算して判断している。そして、この関係式を満たさないと判断した場合には、「ｎｏ」の場合のステップＳ１８に進み、この関係式を満たすと判断した場合には、「ｙｅｓ」の場合のステップＳ１９に進む（ステップＳ１７）。
そして、ステップＳ１８では、駆動対象のインバータユニット３のインバータＩｎｖを供給電力Ｐで出力するよう、制御装置４が制御信号を送信する。そして、当該制御信号を受信した当該インバータＩｎｖは、当該出力をする（ステップＳ１８）。そして、ステップＳ２０に進む。
また、ステップＳ１９では、最大効率時出力Ｐｅ付近の出力で２つのインバータＩｎｖにて供給電力を負担できることから、駆動対象外となったインバータユニット３のうち、一番最後に駆動対象外と判断されたインバータユニット３をやはり駆動対象とすることとして当該インバータユニット３のインバータＩｎｖの出力を最大効率時出力Ｐｅ、また、ステップＳ１０の時点で駆動対象となっていたインバータユニット３のインバータＩｎｖの出力をＰ−Ｐｅとするよう、制御装置４が制御信号をそれぞれのインバータＩｎｖへ送信する。そして、当該制御信号を受信した当該各インバータＩｎｖは、対応した出力をする（ステップＳ１９）。そして、ステップＳ２０に進む。
【００３０】
では、ステップＳ２０の説明に進む。ステップＳ２０では、
供給電力Ｐの値
制御装置４が判断
ステップＳ２１に進む場合は、供給電力Ｐの値が変更値Ｐｃへ変更された場合であるので、制御装置４はＰ＝Ｐｃとして、ステップＳ３に進む（ステップＳ２１）。
また、ステップＳ２２に進む場合は、供給電力Ｐの現時点の値が変更されない場合である。この場合には、ユーザーにより駆動スイッチがＯＦＦされたか否かを制御装置４がさらに判断する。そして、駆動スイッチがＯＦＦされていないと制御装置４が判断した場合には、「ｎｏ」の場合のステップＳ２０に進む。また、駆動スイッチがＯＦＦされたと駆動装置４が判断した場合には、「ｙｅｓ」の場合のステップＳ２３に進む。
そして、ステップＳ２３に進むと、制御装置４は駆動しているインバータユニット３の全ての駆動を停止し、駆動スイッチがＯＦＦされてから所定時間経過後に制御装置４と上記小電源が電気的に遮断されて制御装置４の動作が停止する。従って、制御装置４が各インバータユニット３へ制御信号を送信することができなくなるので、結果的に電池システム１の動作が停止する。
【００３１】
以上のとおり、
電池システム１では、
交流電力負荷に求められる供給電力の量と各々のインバータユニットが備える電池セルの劣化の度合いに応じて、いずれのインバータユニットを駆動させるか
駆動させる場合にはインバータユニットからどれだけの出力をさせるかを適宜選択するので、
電池システム全体の変換効率をも向上させることができる
・段落【００１０】の記載事項と図１からみて、
電池モジュールＢＭ１〜ＢＭ４を備える４つのインバータユニット３−１〜３−４
４つの電池モジュールＢＭ１〜ＢＭ４ごとに対応して前記インバータユニット３−１〜３−４に備えられるインバータＩｎｖ１〜Ｉｎｖ４
・段落【００１０】，【００１４】，【００３０】の記載事項からみて、
インバータユニット３−１〜３−４から、交流電力負荷２へ交流電力を供給する電池システム１において、交流電力負荷２へ供給する供給電力Ｐの値を判断する制御装置４
・段落【００１４】，【００１７】〜【００３１】の記載事項の特に下線部の記載事項と図３のフローチャートからみて、
制御装置４内の不揮発性メモリーに記録された、前記実質的に同一特性のインバータＩｎｖ１〜Ｉｎｖ４の最大出力Ｐｍ及び最大効率時出力Ｐｅの値を制御装置４が読み出し、供給電力Ｐに対する各インバータの負担分の出力ができるだけ最大効率時出力Ｐｅに近づくように、前記インバータＩｎｖ１〜Ｉｎｖ４の駆動台数Ｍを決定し、劣化情報としての充電率ＳＯＣの値を考慮して劣化の大きい電池セルが接続されたインバータユニット３−１〜３−４は駆動せずに他のインバータユニット３−１〜３−４を駆動するよう決定するとともに、駆動するインバータＩｎｖ１〜Ｉｎｖ４の出力が、できるだけ最大効率時出力Ｐｅに近づくように各インバータユニット３−１〜３−４の負担分の出力を決定する制御装置４と、前記駆動するよう決定したインバータユニット３−１〜３−４のインバータＩｎｖ１〜Ｉｎｖ４が、それぞれの負担分の出力をする
　したがって、上記先願明細書６には次の発明（以下、「引用発明６-１」という。）が記載されていると認められる。
＜引用発明６−１＞
「電池モジュールＢＭ１〜ＢＭ４を備える４つのインバータユニット３−１〜３−４から、交流電力負荷２へ交流電力を供給する電池システム１において、交流電力負荷２へ供給する供給電力Ｐの値を判断する制御装置４と、
　前記各インバータユニット３−１〜３−４の電池モジュールＢＭ１〜ＢＭ４から直流電力の入力を受けて交流電力へ変換するために、前記４つの電池モジュールＢＭ１〜ＢＭ４ごとに対応して前記インバータユニット３−１〜３−４に備えられる実質的に同一特性のインバータＩｎｖ１〜Ｉｎｖ４と、
　前記制御装置４内の不揮発性メモリーに記録された、前記実質的に同一特性のインバータＩｎｖ１〜Ｉｎｖ４の最大出力Ｐｍ及び最大効率時出力Ｐｅの値を制御装置４が読み出し、供給電力Ｐに対する各インバータの負担分の出力ができるだけ最大効率時出力Ｐｅに近づくように、前記インバータＩｎｖ１〜Ｉｎｖ４の駆動台数Ｍを決定し、劣化情報としての充電率ＳＯＣの値を考慮して劣化の大きい電池セルが接続されたインバータユニット３−１〜３−４は駆動せずに他のインバータユニット３−１〜３−４を駆動するよう決定するとともに、駆動するインバータＩｎｖ１〜Ｉｎｖ４の出力が、できるだけ最大効率時出力Ｐｅに近づくように各インバータユニット３−１〜３−４の負担分の出力を決定する制御装置４と、
　前記駆動するよう決定したインバータユニット３−１〜３−４のインバータＩｎｖ１〜Ｉｎｖ４が、それぞれの負担分の出力をする、
　電池システム１。」
　また、先願明細書６には，前記（１）摘記の事項が記載されており、次の発明（以下、「引用発明６−２」という。）も記載されていると認められる。
＜引用発明６-２＞
「各インバータユニット３−１〜３−４の電池モジュールＢＭ１〜ＢＭ４から直流電力の入力を受けて交流電力へ変換するために、前記４つの電池モジュールＢＭ１〜ＢＭ４ごとに対応して前記インバータユニット３−１〜３−４に備えられる実質的に同一特性のインバータＩｎｖ１〜Ｉｎｖ４を有し、４つのインバータユニット３−１〜３−４から、交流電力負荷２へ交流電力を供給する電池システム１の制御動作であって、
　交流電力負荷２へ供給する供給電力Ｐの値を判断するステップＳ２１と、
　前記制御装置４内の不揮発性メモリーに記録された、前記実質的に同一特性のインバータＩｎｖ１〜Ｉｎｖ４の最大出力Ｐｍ及び最大効率時出力Ｐｅの値を制御装置４が読み出し、供給電力Ｐに対する各インバータの負担分の出力ができるだけ最大効率時出力Ｐｅに近づくように、前記インバータＩｎｖ１〜Ｉｎｖ４の駆動台数Ｍを決定し、劣化情報としての充電率ＳＯＣの値を考慮して劣化の大きい電池セルが接続されたインバータユニット３−１〜３−４は駆動せずに他のインバータユニット３−１〜３−４を駆動するよう決定するとともに、駆動するインバータＩｎｖ１〜Ｉｎｖ４の出力が、できるだけ最大効率時出力Ｐｅに近づくように各インバータユニット３−１〜３−４の負担分の出力を決定するステップＳ３〜Ｓ１８と、
　前記駆動するよう決定したインバータユニット３−１〜３−４のインバータＩｎｖ１〜Ｉｎｖ４が、それぞれの負担分の出力をするステップＳ１３、Ｓ１５、Ｓ１６、Ｓ１７、Ｓ１８と、
　を備える電池システム１の制御動作。」
（２）対比・判断
ア．本願発明１について
（ア）対比
　本願発明１と、引用発明６−１とを対比すると、次のことがいえる。
（ａ）引用発明６−１における「電池モジュールＢＭ１〜ＢＭ４」は、本願発明１における「複数の蓄電池」に相当する。
（ｂ）引用発明６−１における「電池システム１」は、「所定の地域範囲」に設置されていると認められる。すると、引用発明６−１における「交流電力負荷２へ供給する供給電力Ｐの値を判断する制御装置」は、本願発明１における「所定の地域範囲において蓄電池に対して充電すべき総電力または前記地域範囲において蓄電池から放電させるべき総電力を算出する総電力算出部」に相当する。
（ｃ）引用発明６−１における「前記各インバータユニット３−１〜３−４の電池モジュールＢＭ１〜ＢＭ４から直流電力の入力を受けて交流電力へ変換するために、前記４つの電池モジュールＢＭ１〜ＢＭ４ごとに対応して前記インバータユニット３−１〜３−４に備えられる実質的に同一特性のインバータＩｎｖ１〜Ｉｎｖ４」は、本願発明１における「蓄電池に充電するための電力の交流直流変換または蓄電池から放電により出力される電力の直流交流変換を行うために複数の蓄電池ごとに対応して備えられるインバータ」に相当する。
　そして、引用発明６−１における「前記制御装置４内の不揮発性メモリーに記録された、前記実質的に同一特性のインバータＩｎｖ１〜Ｉｎｖ４の最大出力Ｐｍ及び最大効率時出力Ｐｅの値を制御装置４が読み出し、供給電力Ｐに対する各インバータの負担分の出力ができるだけ最大効率時出力Ｐｅに近づくように、前記インバータＩｎｖ１〜Ｉｎｖ４の駆動台数Ｍを決定し、劣化情報としての充電率ＳＯＣの値を考慮して劣化の大きい電池セルが接続されたインバータユニット３−１〜３−４は駆動せずに他のインバータユニット３−１〜３−４を駆動するよう決定するとともに、駆動するインバータＩｎｖ１〜Ｉｎｖ４の出力が、できるだけ最大効率時出力Ｐｅに近づくように各インバータユニット３−１〜３−４の負担分の出力を決定する制御装置４」と、本願発明１における「蓄電池に充電するための電力の交流直流変換または蓄電池から放電により出力される電力の直流交流変換を行うために複数の蓄電池ごとに対応して備えられるインバータについての電力に応じた効率の変動特性を、前記インバータごとに示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定部」とは、いずれも「蓄電池に充電するための電力の交流直流変換または蓄電池から放電により出力される電力の直流交流変換を行うために複数の蓄電池ごとに対応して備えられるインバータについての電力に応じた効率の変動特性を示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定部」である点で共通する。
（ｄ）引用発明６−１における「前記駆動するよう決定したインバータユニット３−１〜３−４のインバータＩｎｖ１〜Ｉｎｖ４が、それぞれの負担分の出力をする」ことから、インバータユニット３−１〜３−４内に、そのような「負担分の出力をする」ようにインバータＩｎｖ１〜Ｉｎｖ４を制御する装置部分を備えていることが明らかである。すると、引用発明６-１における「前記駆動するよう決定したインバータユニット３−１〜３−４のインバータＩｎｖ１〜Ｉｎｖ４が、それぞれの負担分の出力をする」ことは、本願発明１における「前記分配対象としての蓄電池の各々に対して前記分配電力が分配されるように、制御する電力制御部」を備えることに相当する。
（ｅ）引用発明６−１における「電池システム１」は、本願発明１における「電力管理装置」に相当する。
　したがって、本願発明１と引用発明６−１との間には、次の一致点、相違点があるといえる。
＜一致点＞
「複数の蓄電池を備える所定の地域範囲において蓄電池に対して充電すべき総電力または前記地域範囲において蓄電池から放電させるべき総電力を算出する総電力算出部と、
　蓄電池に充電するための電力の交流直流変換または蓄電池から放電により出力される電力の直流交流変換を行うために前記複数の蓄電池ごとに対応して備えられるインバータについての電力に応じた効率の変動特性を示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定部と、
　前記分配対象としての蓄電池の各々に対して前記分配電力が分配されるように、制御する電力制御部と
　を備える電力管理装置。」
＜相違点７＞
　分配電力決定部に関し、本願発明１は、前記複数の蓄電池ごとに対応して備えられるインバータについての電力に応じた効率の変動特性を、「前記インバータごとに示すインバータ効率特性に基づいて、」前記複数の蓄電池のうちから、前記総電力を分配したときにインバータにおける効率が一定以上となる１以上の蓄電池を前記総電力の分配対象として決定する構成であるのに対し、引用発明６−１は、蓄電池（電池モジュールＢＭ１〜ＢＭ４）ごとに対応して備えられるインバータ（インバータＩｎｖ１〜Ｉｎｖ４）は「実質的に同一特性」であり、「インバータの駆動台数Ｍを決定した後、劣化情報としての充電率ＳＯＣの値を考慮して劣化の大きい電池セルが接続されたインバータユニット３−１〜３−４は駆動せずに他のインバータユニット３−１〜３−４を駆動するよう決定する」構成であり、「インバータごとに示すインバータ効率特性に基づいて」分配対象として決定する構成ではない点。
（イ）相違点７についての判断
　相違点７は、分配電力決定部に関し、引用発明６−１が、「インバータごとに示すインバータ効率特性に基づいて」分配対象として決定する構成ではない点で、上記相違点４と同様である。
　そして、上記１(２)ア(イ)で述べたように、相違点４の存在により、引用発明５−１は本願発明１とは実質的に同一とはいえないものである。すると、相違点４と同様な相違点７を有する引用発明６−１は、上記１(２)ア(イ)で述べたのと同様な理由により、本願発明１とは実質的に同一とはいえないものである。
イ．本願発明２〜１１について
　本願発明２〜１１は、本願発明１を直接又は間接的に引用して発明特定事項を特定する発明であり、本願発明１が備える発明特定事項を全て備えている。したがって、本願発明２〜１１と引用発明６−１とは、上記ア(ア)で述べた本願発明１と引用発明６−１との相違点７で相違する。そして、上記ア(イ)で述べたとおり、この相違点７により、本願発明２〜１１と、引用発明６−１とは、実質的にも同一ではない。
ウ．本願発明１２について
（ア）対比・判断
　本願発明１２と、引用発明６−２とを対比すると、上記ア(ア)で述べたのと同様なことがいえ、引用発明６−２における「供給電力Ｐの値を判断するステップＳ２１」、「インバータＩｎｖ１〜Ｉｎｖ４」、「それぞれの負担分の出力をするステップＳ１３、Ｓ１５、Ｓ１６、Ｓ１７、Ｓ１８」、「電池システム１の制御動作」は、それぞれ本願発明１２における「総電力算出ステップ」、「インバータ」、「電力制御ステップ」及び「電力管理方法」に相当する。
　引用発明６−２の「各インバータユニット３−１〜３−４の電池モジュールＢＭ１〜ＢＭ４から直流電力の入力を受けて交流電力へ変換するために、前記４つの電池モジュールＢＭ１〜ＢＭ４ごとに対応して前記インバータユニット３−１〜３−４に備えられる実質的に同一特性のインバータＩｎｖ１〜Ｉｎｖ４」は、本願発明１２の「蓄電池に充電するための電力の交流直流変換または蓄電池から放電により出力される電力の直流交流変換を行うために前記複数の蓄電池ごとに対応して備えられるインバータ」に相当するから、引用発明６−２における「前記制御装置４内の不揮発性メモリーに記録された、前記実質的に同一特性のインバータＩｎｖ１〜Ｉｎｖ４の最大出力Ｐｍ及び最大効率時出力Ｐｅの値を制御装置４が読み出し、供給電力Ｐに対する各インバータの負担分の出力ができるだけ最大効率時出力Ｐｅに近づくように、前記インバータＩｎｖ１〜Ｉｎｖ４の駆動台数Ｍを決定し、劣化情報としての充電率ＳＯＣの値を考慮して劣化の大きい電池セルが接続されたインバータユニット３−１〜３−４は駆動せずに他のインバータユニット３−１〜３−４を駆動するよう決定するとともに、駆動するインバータＩｎｖ１〜Ｉｎｖ４の出力が、できるだけ最大効率時出力Ｐｅに近づくように各インバータユニット３−１〜３−４の負担分の出力を決定するステップＳ３〜Ｓ１８」と、本願発明１２における「蓄電池に充電するための電力の交流直流変換または蓄電池から放電により出力される電力の直流交流変換を行うために前記複数の蓄電池ごとに対応して備えられるインバータについての電力に応じた効率の変動特性を、前記インバータごとに示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する分配電力決定ステップ」とは、「蓄電池に充電するための電力の交流直流変換または蓄電池から放電により出力される電力の直流交流変換を行うために前記複数の蓄電池ごとに対応して備えられるインバータについての電力に応じた効率の変動特性を示すインバータ効率特性に基づいて、複数の蓄電池のうちから、１以上の蓄電池を総電力の分配対象として決定するとともに、決定された分配対象としての蓄電池ごとに分配する分配電力を決定する分配電力決定ステップ」である点で共通する。
　したがって、本願発明１２と引用発明６−２との間には、次の一致点、及び上記相違点７と同様な相違点８があるといえる。
＜一致点＞
「複数の蓄電池を備える所定の地域範囲において蓄電池に対して充電すべき総電力または前記地域範囲において蓄電池から放電させるべき総電力を算出する総電力算出ステップと、
　蓄電池に充電するための電力の交流直流変換または蓄電池から放電により出力される電力の直流交流変換を行うために前記複数の蓄電池ごとに対応して備えられるインバータについての電力に応じた効率の変動特性を示すインバータ効率特性に基づいて、複数の蓄電池のうちから、１以上の蓄電池を総電力の分配対象として決定するとともに、決定された分配対象としての蓄電池ごとに分配する分配電力を決定する分配電力決定ステップと、
　前記分配対象としての蓄電池の各々に対して前記分配電力が分配されるように、制御する電力制御ステップと
　を備える電力管理方法。」
＜相違点８＞
　分配電力決定ステップに関し、本願発明１２は、前記複数の蓄電池ごとに対応して備えられるインバータについての電力に応じた効率の変動特性を、「前記インバータごとに示すインバータ効率特性に基づいて、」前記複数の蓄電池のうちから、前記総電力を分配したときにインバータにおける効率が一定以上となる１以上の蓄電池を前記総電力の分配対象として決定する構成であるのに対し、引用発明６−２は、蓄電池（電池モジュールＢＭ１〜ＢＭ４）ごとに対応して備えられるインバータ（インバータＩｎｖ１〜Ｉｎｖ４）は「実質的に同一特性」であり、「インバータの駆動台数Ｍを決定した後、劣化情報としての充電率ＳＯＣの値を考慮して劣化の大きい電池セルが接続されたインバータユニット３−１〜３−４は駆動せずに他のインバータユニット３−１〜３−４を駆動するよう決定する」構成であり、「インバータごとに示すインバータ効率特性に基づいて」分配対象として決定する構成ではない点。
　相違点８について検討すると、相違点８は、相違点７と同様な相違点であるから、上記ア(イ)で述べたのと同様の理由で、本願発明１２と引用発明６−２とが、実質的にも同一であるということはできない。
エ．本願発明１３について
　本願発明１３と引用発明６−２とを対比すると、両者は、上記ウ(ア)で述べた相違点８及び次に示す相違点９で相違し、その余の点で一致する。
＜相違点９＞
　本願発明１３は、本願発明１２が特定する各ステップと同様な各ステップを、コンピュータにより実行させるためのプログラムであるのに対し、引用発明６−２は、電池システム１の制御動作である点。
　
　まず、相違点８について検討すると、上記ウ(ア)で述べたのと同様の理由により、本願発明１３は、引用発明６−２と実質的にも同一であるということはできない。したがって、相違点９について検討するまでもなく、本願発明１３は、引用発明６−２と実質的に同一であるということはできない。
オ．小括
　以上のとおりであるから、本願の請求項１〜１３に係る発明は、いずれも、先願明細書６に記載された発明と実質的にも同一であるということはできない。
第６　原査定について
１．原査定の理由について
　審判請求時の補正によって、補正後の請求項１〜１３に係る発明は、「複数の蓄電池ごとに対応して備えられるインバータについての電力に応じた効率の変動特性を、前記インバータごとに示すインバータ効率特性に基づいて、前記複数の蓄電池のうちから、前記総電力を分配したときにインバータにおける効率が一定以上となる１以上の蓄電池を前記総電力の分配対象として決定するとともに、決定された分配対象としての蓄電池ごとに分配する分配電力を決定する」という発明特定事項を有するものとなった。そして、上記「第４　原査定の理由１（特許法第２９条第２項）について」及び「第５　原査定の理由２（特許法第２９条の２）について」で述べたように、この発明特定事項により、補正後の請求項１〜１３に係る発明は、引用文献１〜４に基づいて当業者が容易に発明できたものであるとはいえず、また、先願明細書５又は６に記載された発明と実質的に同一であるということはできないものである。
　したがって、原査定の理由１及び理由２は、いずれも維持することができない。
第７　むすび
　以上のとおり、原査定の理由によっては、本願を拒絶することはできない。
　また、他に本願を拒絶すべき理由を発見しない。
　よって、結論のとおり審決する。